(57)【特許請求の範囲】
【請求項１】
画像データを記録媒体に記録する画像データ記録装置において、
第１の画像データと、前記第１の画像データのダイジェスト画像データである第２の画像データとを前記記録媒体に記録する記録部と、
１または複数の前記第１の画像データを１または複数のグループに分け、各グループに含まれる前記第１の画像データを示す第１のリスト情報を作成する第１のグループ作成部と、
前記第１のリスト情報に基づき１または複数の前記第２の画像データを１または複数のグループとし、各グループに含まれる前記第２の画像データを示す第２のリスト情報を作成する第２のグループ作成部と、
前記画像データの再生制御情報を含むメニュー画像データを管理するメニュー画像データ管理部とを備え、
前記記録部は、前記メニュー画像データ管理部より、
前記第１の画像データ及び前記第２の画像データの一方の画像データは再生されている画像データ、他方の画像データは再生されていない画像データであり、前記一方の画像データの再生を停止し前記他方の画像データを再生するよう再生を切り替えるための制御情報を含む第１のメニュー画像データを取得し、
前記第１のメニュー画像データの制御情報は、前記一方の画像データが前記第１の画像データあるいは前記第２の画像データのどちらであるかを識別する再生画像識別情報の取得と、前記一方の画像データのグループを識別する再生グループ識別情報の取得と、前記再生画像識別情報が前記第１の画像データを示すときは前記再生グループ識別情報に基づき前記第２の画像データの再生を開始するグループの決定、前記再生画像識別情報が第２の画像データを示すときは前記再生グループ識別情報に基づき前記第１の画像データの再生を開始するグループの決定、とを指示する制御情報から構成され、
前記第１のリスト情報、前記第２のリスト情報及び、前記第１のメニュー画像データを前記記録媒体に記録することを特徴とする画像データ記録装置。
【請求項２】
前記記録部は更に、
前記メニュー画像データ管理部より、前記第１の画像データまたは前記第２の画像データを所望の位置から再生開始する、または複数の前記第１の画像データまたは複数の前記第２の画像データの所望の画像データを選択して再生開始するための制御情報を含む第２のメニュー画像データを取得して、前記記録媒体に記録することを特徴とする請求項１記載の画像データ記録装置。
【請求項３】
前記第１のメニュー画像データの制御情報は更に、
前記一方の画像データの再生停止位置情報の取得と、
前記再生画像識別情報が前記第１の画像データを示すときは前記再生停止位置情報に基づき前記第２の画像データの再生開始位置の決定、前記再生画像識別情報が前記第２の画像データを示すときは前記再生停止位置情報に基づき前記第１の画像データの再生開始位置の決定と、
を指示する制御情報を含むことを特徴とする請求項１または２記載の画像データ記録装置。
【請求項４】
前記第１のメニュー画像データの制御情報は更に、
再生開始が決定された画像データが前記第１の画像データまたは前記第２の画像データのいずれであるかを識別する情報を保持することを指示する情報を含むことを特徴とする請求項１または３記載の画像データ記録装置。
【請求項５】
前記第２のメニュー画像データの制御情報は、
前記第１の画像データまたは前記第２の画像データの所望のグループから再生開始することを指示する情報を含むことを特徴とする請求項２記載の画像データ記録装置。
【請求項６】
前記第２のメニュー画像データの制御情報は更に、
再生開始が決定された画像データが前記第１の画像データまたは前記第２の画像データのいずれであるかを識別する情報を保持することを指示する情報を含むことを特徴とする請求項２または５記載の画像データ記録装置。
【請求項７】
前記記録媒体を再生するとき前記第１のメニュー画像データまたは前記第２のメニュー画像データのいずれを再生するかを示す情報から構成される初期再生情報を生成する初期再生情報生成部を更に備え、
前記記録部は前記初期再生情報を前記記録媒体に記録することを特徴とする請求項２から６のいずれか一項に記載の画像データ記録装置。
【請求項８】
前記第１のグループ作成部は、前記第１の画像データの属性情報に基づき１または複数の前記第１の画像データを１または複数のグループとすることを特徴とする請求項２から７のいずれか一項に記載の画像データ記録装置。
【請求項９】
請求項１から請求項８のいずれか記載の画像データ記録装置で記録された記録媒体から画像データとメニュー画像データを再生する再生部と、
前記画像データまたは前記メニュー画像データを表示する表示部と、
前記表示部に前記メニュー画像データを表示させるメニュー表示入力部と、
前記メニュー画像データで表示される制御情報を選択し決定するメニュー制御入力部と、
再生制御情報に基づき情報の取得と、保持と、管理と、再生動作の制御と、を行う再生制御部とを備え、
前記再生制御部は、
前記第１の画像データを再生中に、前記メニュー表示入力部からの入力により前記第１のメニュー画像データを表示したとき、前記第１のメニュー画像データの再生切り替え制御情報を前記表示部に表示し、前記メニュー制御入力部より前記再生切り替え制御情報が選択され決定されると、前記再生切り替え制御情報に基づき前記再生部が前記第２の画像データを再生するよう制御し、
前記第２の画像データを再生中に、前記メニュー表示入力部からの入力により前記第１のメニュー画像データを表示したとき、前記第１のメニュー画像データの前記再生切り替え制御情報を前記表示部に表示し、前記メニュー制御入力部より前記再生切り替え制御情報が選択され決定されると、前記再生切り替え制御情報に基づき前記再生部が前記第１の画像データを再生するよう制御し、
１または複数の前記第１の画像データを前記記録媒体に記録された前記第１のリスト情報に基づく再生順序と再生区間で再生し、
１または複数の前記第２の画像データを前記記録媒体に記録された前記第２のリスト情報に基づく再生順序と再生区間で再生する
ことを特徴とする画像データ再生装置。
【請求項１０】
前記再生制御部は更に、
前記メニュー表示入力部からの入力により前記第２のメニュー画像データを表示し、前記メニュー制御入力部より前記第１の画像データまたは前記第２の画像データを所望の位置から再生する、または複数の前記第１の画像データまたは複数の前記第２の画像データの所望の画像データを選択して再生するための制御情報が選択され決定されると、選択された前記制御情報に基づき前記再生部が前記第１の画像データまたは前記第２の画像データを再生するよう制御することを特徴とする請求項９記載の画像データ再生装置。
【請求項１１】
前記再生制御部は更に、
前記メニュー表示入力部からの入力により前記メニュー画像データが表示される前に再生されていた画像データの再生を停止し、再生していた前記画像データが前記第１の画像データまたは前記第２の画像データのどちらであるかを示す再生画像識別情報と、再生停止した位置を示す再生停止位置情報と、を記録するリジュームメモリ部を備え
前記メニュー制御入力部より前記再生切り替え制御情報が入力されると前記再生切り替え制御情報の指示に従い、前記リジュームメモリ部より前記再生画像識別情報と、前記再生停止位置情報とを取得し、
前記再生画像識別情報が前記第１の画像データを示すとき、前記再生停止位置情報に基づき前記第２の画像データの再生開始位置を決定し、前記再生画像識別情報が前記第２の画像データを示すとき、前記再生停止位置情報に基づき前記第１の画像データの再生開始位置を決定して、決定した前記再生開始位置より画像データを再生するよう前記再生部を制御することを特徴とする請求項９または１０記載の画像データ再生装置。
【請求項１２】
前記メニュー制御入力部より前記再生切り替え制御情報が入力されると前記再生切り替え制御情報の指示に従い、
前記リジュームメモリ部より前記再生画像識別情報と、前記再生停止位置情報と、を取得し、
前記再生画像識別情報が前記第１の画像データを示すとき、前記再生停止位置情報と前記第１のリスト情報から得られる再生が停止した前記第１の画像データのグループと同じグループの前記第２の画像データから再生を開始し、前記再生画像識別情報が前記第２の画像データを示すとき、前記再生停止位置情報と前記第２のリスト情報から得られる再生が停止した前記第２の画像データのグループと同じグループの前記第１の画像データから再生を開始することを特徴とする請求項９記載の画像データ再生装置。
【請求項１３】
前記再生制御部は更に、前記第１のメニュー画像データによって前記画像データの再生を切り替えるとき、
再生を開始する前記画像データが前記第１の画像データまたは前記２の画像データのどちらであるかを示す再生開始画像識別情報を記録する再生画像選択メモリを備え、
前記メニュー制御入力部より前記再生切り替え制御情報が入力されると前記再生切り替え制御情報の指示に従い、
前記リジュームメモリ部より前記再生画像識別情報と、前記再生停止位置情報とを取得し、
前記再生画像識別情報が前記第１の画像データを示すとき、前記再生停止位置情報に基づき前記第２の画像データの再生開始位置を決定して、前記再生画像選択メモリに前記第２の画像データの再生開始を示す情報を記録し、
前記再生画像識別情報が前記第２の画像データを示すとき、前記再生停止位置情報に基づき前記第１の画像データの再生開始位置を決定して、前記再生画像選択メモリに前記第１の画像データの再生開始を示す情報を記録し、
決定した前記再生開始位置より画像データを再生し、
再度、前記メニュー表示入力部よりメニューを表示するよう入力があると、前記再生画像選択メモリに記録された再生開始された画像データが第１の画像データまたは第２の画像であるかによって、前記第１のメニュー画像データまたは前記第２のメニュー画像データを表示するか決定することを特徴とする請求項９から１２のいずれか一項に記載の画像データ再生装置。
【請求項１４】
前記再生制御部は更に、前記メニュー表示入力部からの入力により前記第２のメニュー画像データを表示し、前記メニュー制御部より前記第１画像データまたは前記第２の画像データを所望のグループの画像データを再生するための制御情報が選択され決定されると、前記所望のグループの画像データを再生するための制御情報に基づき前記再生部が前記第１の画像データまたは前記第２の画像データを再生するよう制御することを特徴とする請求項９または１３記載の画像データ再生装置。
【請求項１５】
前記再生制御情報部は更に、前記第２のメニュー画像データで選択し再生した画像データが前記第１の画像データまたは第２の画像データのいずれであるかを記録するメニューメモリ部を備え、
前記第２のメニュー画像データの制御情報の、再生開始が決定された前記画像データが前記第１の画像データまたは前記第２の画像データのいずれであるかを識別する情報を保持することを指示する情報に従い、前記メニューメモリ部に再生開始する画像データが前記第１の画像データまたは前記第２の画像データのいずれであるかを記録し、
前記メニュー表示入力部からの入力により、前記メニューメモリ部に記録された再生開始した前記画像データが前記第１の画像データまたは前記第２の画像データの画像データのいずれであるかに応じて、前記第１の画像データまたは前記第２の画像データのメニュー画像データのいずれを表示するかを決定する、ことを特徴とする請求項１０または１４記載の画像データ再生装置。
【請求項１６】
前記再生制御情報部は更に、前記記録媒体に記録された初期再生情報に従い、前記第１のメニュー画像データまたは前記第２のメニュー画像データを最初に表示するよう制御することを特徴とする請求項１０から請求項１５のいずれか一項に記載の画像データ再生装置。
【発明の詳細な説明】
【技術分野】
【０００１】
本発明は、第１画像データと第２画像データとを記録媒体に記録する画像データ記録装置と、記録媒体に記録された第１画像データと第２画像データとを再生する画像データ再生装置に関する。
【背景技術】
【０００２】
多くの動画像データや静止画データ等の本編画像データの中から所望の本編画像データ等の第１画像データの検索を容易にするため、本編画像データの第２画像データとなるダイジェスト画像データを再生し、それを選択することで、ダイジェスト画像データに付加された情報を基に、対応する本編画像データに再生を切り替える方法がある（例えば、特許文献１参照。）。
【特許文献１】特許第３０６４９７５号公報
【発明の開示】
【発明が解決しようとする課題】
【０００３】
しかし、上記特許文献１記載の従来技術では、単に第２画像データであるダイジェスト画像データから、第１画像データである本編画像データへの再生切替えしか実行できないため、その逆の第２画像データであるイジェスト画像データから、第１画像データであるダイジェスト画像データの再生に戻ることができない、という問題があった。
【０００４】
そこで、本発明は、第１画像データと第２画像データとの間で双方向の再生切替えを容易に実行することできる画像データ記録装置および画像データ再生装置を提供することを目的とする。
【課題を解決するための手段】
【０００５】
上記課題を解決するために本発明は、次の（ａ）の画像データ記録装置及び（ｂ）の画像データ再生装置を提供するものである。
（ａ）画像データを記録媒体に記録する画像データ記録装置において、第１の画像データと前記第１の画像データの要約画像である第２の画像データを前記記録媒体に記録する記録部と、１または複数の前記第１の画像データを１または複数のグループに分け、各グループに含まれる前記第１の画像データを示す第１のリスト情報を作成する第１のグループ作成部と、前記第１のリスト情報に基づき１または複数の前記第２の画像データを１または複数のグループとし、各グループに含まれる前記第２の画像データを示す第２のリスト情報を作成する第２のグループ作成部と、前記画像データの再生制御情報を含むメニュー画像データを管理するメニュー画像データ管理部とを備え、前記記録部は、前記メニュー画像データ管理部より、前記第１の画像データ及び前記第２の画像データの一方の画像データは再生されている画像データ、他方の画像データは再生されていない画像データであり、前記一方の画像データの再生を停止し前記他方の画像データを再生するよう再生を切り替えるための制御情報を含む第１のメニュー画像データを取得し、前記第１のメニュー画像データの制御情報は、前記一方の画像データが前記第１の画像データあるいは前記第２の画像データのどちらであるかを識別する再生画像識別情報の取得と、前記一方の画像データのグループを識別する再生グループ識別情報の取得と、前記再生画像識別情報が前記第１の画像データを示すときは前記再生グループ識別情報に基づき前記第２の画像データの再生を開始するグループの決定、前記再生画像識別情報が第２の画像データを示すときは前記再生グループ識別情報に基づき前記第１の画像データの再生を開始するグループの決定、とを指示する制御情報から構成され、前記第１のリスト情報、前記第２のリスト情報及び、前記第１のメニュー画像データを前記記録媒体に記録することを特徴とする画像データ記録装置。
（ｂ）（ａ）の画像データ記録装置で記録された記録媒体から画像データとメニュー画像データを再生する再生部と、前記画像データまたは前記メニュー画像データを表示する表示部と、前記表示部に前記メニュー画像データを表示させるメニュー表示入力部と、前記メニュー画像データで表示される制御情報を選択し決定するメニュー制御入力部と、再生制御情報に基づき情報の取得と、保持と、管理と、再生動作の制御と、を行う再生制御部とを備え、前記再生制御部は、前記第１の画像データを再生中に、前記メニュー表示入力部からの入力により前記第１のメニュー画像データを表示したとき、前記第１のメニュー画像データの再生切り替え制御情報を前記表示部に表示し、前記メニュー制御入力部より前記再生切り替え制御情報が選択され決定されると、前記再生切り替え制御情報に基づき前記再生部が前記第２の画像データを再生するよう制御し、前記第２の画像データを再生中に、前記メニュー表示入力部からの入力により前記第１のメニュー画像データを表示したとき、前記第１のメニュー画像データの前記再生切り替え制御情報を前記表示部に表示し、前記メニュー制御入力部より前記再生切り替え制御情報が選択され決定されると、前記再生切り替え制御情報に基づき前記再生部が前記第１の画像データを再生するよう制御し、１または複数の前記第１の画像データを前記記録媒体に記録された前記第１のリスト情報に基づく再生順序と再生区間で再生し、１または複数の前記第２の画像データを前記記録媒体に記録された前記第２のリスト情報に基づく再生順序と再生区間で再生することを特徴とする画像データ再生装置。
【発明の効果】
【００２４】
本発明により、第１の画像データと第２の画像データを記録媒体に記録する記録装置において、第１の画像データと第２の画像データとの再生を切り替えるため、メニュー画像データを表示するよう入力があったときに、メニュー画像を表示する前に再生していた画像データが、第１の画像データかまたは第２の画像データかのどちらであるかを記録し、その再生していた画像データを停止した位置情報に応じた位置から再生を開始する制御情報が含まれたメニュー画像データも併せて記録媒体に記録することで、画像データ再生装置では、第１の画像データの再生時には第１の画像データが再生されていることを記録し、メニューを表示するよう入力があったときには、メニュー表示のために再生を停止した位置情報を所定のメモリに記録してから、再生切替えメニュー画像を表示し、再生切替えメニュー画像から再生切り替えを選択し決定すると、第２の画像データを第１の画像データの再生停止位置に基づく位置から再生することができる。そして同様に第２の画像データ再生時には第２の画像データが再生されていることを記録し、メニューを表示するよう入力があったときには、メニュー表示のために再生を停止した位置情報を所定のメモリに記録してから、再生切替えメニュー画像を表示し、再生切替えメニュー画像から再生切り替えを選択し決定すると、第１の画像データを第２の画像データの再生停止位置に基づく位置から再生できるようにした。
【００２５】
また、第２の画像データを第１の画像データの要約画像であるダイジェスト画像とし、上記再生切替えメニュー画像データを用いてダイジェスト画像（第２の画像データ）とそのもととなる本編画像（第１の画像データ）を、メニュー表示入力をおこなった位置で再生切り替えすることで、まずは短時間に内容を把握できるダイジェスト画像を再生し、所望の位置から続きを本編画像に切り替えて再生したり、逆に本編画像を再生し、所望の位置からダイジェストに画像に切り替えて再生したりすることができる。
【００２６】
また、第１の画像データをその属性情報にもとづきグループ化して、ダイジェスト画像の第２の画像データも合わせてグループ化することで、上記再生切替えメニュー画像データによる再生切り替えによってダイジェスト画像を再生しながら、所望の属性をもつ第１の画像データのグループを見つけたところで再生を切り替えて、そのグループの第１の画像データを再生し、また同様にもとの画像である第１の画像データを再生しながら、所望の属性をもつ第１の画像データのグループは、すべて再生せずに再生を切り替えて、ダイジェスト画像を再生することを可能にした。
【００２７】
さらに、画像データ記録装置は、第１の画像データまたは第２の画像データを所望の位置やグループから再生開始したり、あるいは複数の第１の画像データまたは複数の第２の画像データの所望の画像データから選択して再生開始したりするためのサムネイルメニュー画像データも併せて記録媒体に記録し、さらに記録媒体再生時に、最初にサムネイルメニュー画像データを再生し表示することを示した初期再生情報も併せて記録媒体に記録することで、再生装置では、記録媒体を再生するとき、初期再生情報にもとづきサムネイルメニュー画像データを最初に表示し、第１の画像データまたは第２の画像データを所望の位置から再生することを可能にした。また、サムネイルメニュー画像データは第１の画像データまたは第２の画像データのいずれを選択して再生したかをメモリに記録する制御情報を含むことで、もとの画像を選択し再生開始した後、メニュー画像表示が入力されたときにはサムネイルメニュー画像データを表示し、またダイジェスト画像を選択し再生開始した後、メニュー画像表示が入力されたときには再生切替えメニュー画像データを表示する、というように、再生切替えメニュー画像から選択し再生された画像データが第１の画像データか第２の画像データのいずれかによって、再生切替えメニュー画像データを表示するのかサムネイルメニュー画像データを表示するのかを指定することを可能にした。
【発明を実施するための最良の形態】
【００２８】
以下、本発明に係る画像データ記録装置および画像データ再生装置の実施形態を、第１の画像データを本編画像データとし、第２の画像データを第１の画像データの一部で構成され再生時間を短くした要約画像であるダイジェスト画像データとして、説明する。
【００２９】
実施形態１.
以下では、本編画像データと、本編画像データのプレイリストである本編リストファイルと、本編画像データからその要約画像であるダイジェスト画像データを生成するためのプレイリストであるダイジェストリストファイルと、を記録媒体に記録する図１に示す画像データ記録装置と、その画像データ記録装置が記録した記録媒体から本編画像データとダイジェスト画像データをそれぞれのリストファイルに基づき再生する図１５に示す画像データ再生装置とに分けて説明する。なお、以下の説明では、画像データ記録装置と、画像データ再生装置とに分けて説明するが、動画および静止画の画像データの記録および再生を行う画像データ記録再生装置の場合、後述する図２０に示すように、図１に示す画像データ記録装置と図１５に示す画像データ再生装置とを一装置内に有するようにしても勿論よい。この場合、記録媒体１８に記録するデータは、本編画像データのみとし、その他のデータは図示しないメモリ等に記録する等、必ずしも全てのデータを同一の記録媒体に記録しなくても勿論よい。
【００３０】
（画像データ記録装置の説明）
図１は、本実施形態の画像データ記録装置の構成例を示すブロック図である。
図１において、この画像データ記録装置１０は、まず、複数の動画や静止画、または音声が多重化された動画である画像データが入力する画像データ入力部１１と、入力した画像データそれぞれの入力日時を取得するための時計１２と、複数の本編画像データをそれぞれの入力日時にもとづきグループ分けし、グループごとに自グループに属する本編画像データの一覧である本編リストファイルを生成するグループ生成部１３と、各グループの本編リストファイルを基にダイジェスト区間の一覧であるダイジェストリストファイルを生成するダイジェスト生成部１４とを有する。
【００３１】
また、この画像データ記録装置１０は、生成された本編リストファイルとダイジェストリストファイルとをもとに、後述する再生切替メニュー画像１１０と制御情報から構成される再生切替メニュー画像データと、同じくサムネイルメニュー画像７０と制御情報から構成されるサムネイルメニュー画像データと、を生成するメニュー画像データ管理部１５と、記録媒体を最初に再生するときやメニュー表示入力があったときに後述する制御情報を含む初期再生情報を生成する初期再生情報生成部１６と、本編画像データ、本編リストファイル、ダイジェストリストファイル、再生切替メニュー画像データ、サムネイル画像データ、初期再生情報等を記録媒体１８に記録する記録部１７と、を有している。
【００３２】
尚、記録媒体１８は、画像データ記録装置１０内に図示しているが、本装置外部に設けられていても、本装置内部に固定された記録媒体１８である必要もなく、取り外し可能なハードディスク、光ディスク、磁気テープ、不揮発性メモリ等、画像データを記録するのに十分な記録または記憶容量を備える記録または記憶媒体であってもよい。また、本編画像データをグループ分けしない場合、ないしは他の装置でグループ分けされている場合には、グループ生成部１３等は省略可能であり、また、ダイジェストリストファイルが他の装置で生成されている場合は、ダイジェスト生成部１４は省略しても勿論よい。
【００３３】
次に動作を説明する。
【００３４】
図２は、本実施形態の画像データ記録装置１０による記録動作の一例を示すフローチャートである。
まず、図１に示す画像データ記録装置１０には画像データ入力部１１を介して本編画像データが入力される。（Ｓ１１０）。
【００３５】
ここで画像データ入力部１１は、本画像データ記録装置１０がデジタルカメラ、デジタルビデオカメラ等の静止画や動画の撮影装置であれば、レンズおよびＣＣＤなどの撮像素子と撮影された信号データの符号化部であり、また図示した記録媒体以外の記録媒体に予め記録されている本編画像データを入力とする場合には、記録媒体１８がハードディスクであれば磁気ヘッド、光ディスクであれば光ピックアップ等、記録媒体１８のアクセス部とその移動の制御、光ディスク等の記録媒体１８を回転させるモータとその回転の制御、併せて記録媒体１８に記録された信号を読み出すために必要なデータ変調等の信号処理と、ＭＰＥＧ２やＭＰＥＧ４−ＡＶＣ／Ｈ．２６４などの符号化処理を行う。また本画像データ記録装置１０以外の装置から既に符号化した画像データを受信する場合には、通信に必要なＥｔｈｅｒｎｅｔ（登録商標）やＵＳＢ等のインターフェースを備えるものとする。また、図１に示す記録媒体１８に記録されている画像データの入力としてもよく、その場合画像データ記録装置には記録媒体１８からデータを読み出すための記録媒体に応じた再生部が必要となる。
【００３６】
画像データ入力部１１は、入力した複数の本編画像データそれぞれに対して時計１２から日時情報を取得し、取得した日時情報を各画像データのヘッダ部や管理情報ファイルの所定の領域など、画像フォーマットや画像データを記録する記録媒体の記録フォーマットに応じたフィールドに格納する（Ｓ１２０）。また取得日時の代わりに、記録部１７を介して本編画像データが記録されるとき、時計１２より日時情報を取得し、記録日時を格納してもよい。ここで、各画像データのヘッダ部等に既に取得日時や記録日時等の日時情報が格納されている場合には、その日時情報を利用するとよい。この場合、本画像データ記録装置１０における時計１２、および時計１２からの日時情報の取得とその日時情報の画像データヘッダ部への格納処理は省略してもよい。
【００３７】
次に、グループ生成部１３は、画像データ入力部１１から入力した複数の本編画像データをそれぞれの日時情報をもとにグループ分けする（Ｓ１３０）。
【００３８】
図３は、本実施形態のグループ生成部１３が入力日または記録日ごとにグループ分けした本編画像データの一例を示している。
【００３９】
すなわち、グループ生成部１３は、図３に示すように、例えば、１０個の本編画像データ１〜１０が入力された場合、そのヘッダ部から入力日または記録日の日時情報を取得し、その日時が２００７年９月２７日の画像データの本編画像データ１〜５を第１グループの本編画像データとし、日時が２００７年９月２８日の画像データの本編画像データ６〜８を第２グループの本編画像データとし、日時が２００７年９月２９日の画像データの本編画像データ９および本編画像データ１０を第３グループの本編画像データとしている。
【００４０】
尚、グループ分けの方法はこれに限定されるものではなく、例えばさらに時刻情報から、２００７年９月２７日の午前と午後、２００７年９月２８日の午前と午後、２００７年９月２９日の午前と午後、の６つのグループに分ける等、ある一定の時間内に入力日時または記録日時が含まれる本編画像データごとにグループ分けをしてもよい。またこれ以外にも日時情報から取得できる情報として、複数の本編画像データの入力日時または記録日時を時系列的に並べたとき、前後２つの本編画像データの間隔などがある。例えば、図３において時系列的に前の本編画像データである本編画像データ１の入力日時または記録日時である２００７年９月２７日１５時１２分４０秒に再生時間の２分３０秒を加えた再生終了日時の２００７年９月２７日１５時１５分１０秒と、時系列的に後の本編画像データである本編画像データ２の入力日時または記録日時である２００７年９月２７日１６時２２分３秒との差である１時間６分５３秒が、この場合の間隔となる。ここで、もしその間隔が例えば６時間や１２時間以上等、一定時間以上経過していたら、その間隔の前までの本編画像データを１つのグループとし、その間隔以降の本編画像データを別のグループとするグループ分けができる。この場合にはほぼ同時刻に入力または記録された画像同士が同じグループになるようなグループ分けができる。
【００４１】
また、日時情報だけでなく例えば画像データ記録装置に位置情報が取得できるＧＰＳ（Global Positioning System）等を設けて、入力または記録日時を記録する代わりに位置情報を記録し、その位置情報から日時同様、一定値以上距離が離れている本編画像データ同士は別のグループとするグループ分けや、また装置の利用者が装置に設けられた入力部により入力した画質、画像データの種別等の属性情報に基づくグループ分けを行うなど、日時情報以外の情報を用いてグループ分けしてもよい。またグループに含まれる画像データ数が常に１０個になるようにする、または予め決められたグループ数において、各グループに含まれる画像データ数が常に同じ数になるようにグループ分けする等、１グループの画像データ数が決められた数または各グループに含まれる画像データ数がほぼ均等になるようグループ分けしてもよい。尚、予め決められた間隔、グループ数、１グループに含まれる画像データ数等によってグループ分けを行う場合には、予めそのグループ分けに必要な値をグループ生成部１３内に図示しないメモリ等を設けて記録するとよい。
【００４２】
次に、グループ生成部１３は、グループごとに図４（ａ）に示すような本編画像データの本編リストファイルを生成し、記録部１７を介して記録媒体１８に記録する（Ｓ１４０）。
【００４３】
図４（ａ）は、グループ生成部１３がグループごとに生成する本編リストファイルの一例を示している。
【００４４】
図４に示すように、第１グループの本編リストファイルは、ファイル名を“リストファイル００１”とする。図３に示す第１グループに属する本編画像データ１〜５の本編リストファイルは、図４（ａ）に示すように第１グループに属する本編画像データの数“５”と、第１グループに属する本編画像データのファイル名の“本編画像データ１”、・・・、“本編画像データ５”と、各本編画像データの再生区間を示す再生区間情報“０：００―２：３０”、・・・、“０：００−３：１０”とを格納する。
【００４５】
ここで、本編画像データのファイル名は、直接ファイル名を格納しなくとも、リストファイルが参照するファイルが特定できる情報であればよく、記録媒体上での記録位置を示す情報や、ファイルを特定するための情報が格納された別のファイルのファイル名等が記録されていてもよい。
【００４６】
また再生区間情報は、リストファイル内に格納された各本編画像データのファイル名が指すファイルを再生するときの再生開始から再生終了までの再生区間を示す情報で、画像データ先頭からの経過時間やフレーム数、ＧＯＰ数、バイト数等、ファイル上での位置を示す情報等を格納するものとする。また再生終了位置を示す情報を格納する代わりに再生時間すなわち再生区間の長さを表す情報を、再生開始位置情報と併せて格納してもよい。また本編画像データの再生においては、常にその本編リストファイルに格納されたファイル名の本編画像データを先頭から終端までを再生する場合には、この再生区間情報のフィールドは省略してもよい。
【００４７】
以下同様に、グループ生成部１３は、第２グループの本編リストファイルをファイル名“リストファイル００２”とし、第２グループに属する本編画像データである“本編画像データ６”、・・・、“本編画像データ８”のファイル名と、そのファイル名が格納される本編画像データのどの区間を再生するかを示す再生区間情報とを格納し、さらに第３グループの本編リストファイルをファイル名“リストファイル００３”とし、第３グループに属する本編画像データである“本編画像データ９”、“本編画像データ１０” のファイル名と、その各ファイル名が格納される本編画像データのどの区間を再生するかを示す再生区間情報と、を格納する。
【００４８】
このようにしてグループ生成部１３では、本編画像データのグループごとに、図４（ａ）に示すような本編リストファイルを生成し、記録部１７を介して記録媒体１８に記録する。また、図５に示すように本編リストファイルを格納するためのディレクトリとして“リスト情報ディレクトリ”を作製して、そのディレクトリ下に本編リストファイルを記録するとよい。
【００４９】
次にダイジェスト生成部１４により、グループ生成部１３で生成された本編リストファイルをもとに、図４（ｂ）に示すようなダイジェストリストファイルを生成する。ダイジェストリストファイルの構成は図４（a）の本編リストファイルと同じとし、図５に示すように本編リストファイルと同じディレクトリ下に記録部１７を介して記録するものとする。（Ｓ１５０）
【００５０】
ダイジェスト画像は本編画像の一部区間を抽出し（以後、これを単にカットと呼ぶこととする）、このカットを複数の本編画像データの複数箇所から抽出して、それらを時系列に連続して再生するものとし、図６を用いてカット抽出例について述べる。
【００５１】
まず総ダイジェスト時間を１分とする。この総ダイジェスト時間は固定であってもよいし、ダイジェスト画像のもとになる本編画像の総再生時間に応じて変更されるようにする等ダイジェスト生成部１４で決定する以外に、画像データ記録装置１０にダイジェスト時間を入力するための数字キーなどの入力部や、あるいはモニタ等の表示部にＧＵＩ（グラフィカルユーザインターフェース）を用いた入力画面を表示し、十字キー等の選択キーと決定キーなどの入力部を設けて、装置外部からの入力によって決定するようにしてもよい。
【００５２】
次にダイジェスト生成部１４は１分の総ダイジェスト時間を各グループに配分する。図６の例では（ａ）第１グループ、（ｂ）第２グループ、（ｃ）第３グループの各本編リストファイルの再生時間の比に応じて、ダイジェスト時間を配分する方法を示している。すなわち第１グループ、第２グループ、第３グループの再生時間がそれぞれ１５分、１０分、５分であるとき、その比は３：２：１となるのでこの比に応じてダイジェスト時間の１分を配分して、第１グループ、第２グループ、第３グループの各グループのダイジェスト時間はそれぞれ３０秒、２０秒、１０秒とする。ここで１カットを５秒とし、各グループから抽出するカット数がそれぞれ６カット、４カット、２カットと決定する。但し１カットの再生時間は総ダイジェスト時間と同様に、固定であってもよいし、本編画像データの長さに応じて変わる値のようにダイジェスト生成部１４で決定してもよいし、上で述べたダイジェスト時間の入力のように装置外部から数字キー等によって入力して決定するようにしてもよい。
【００５３】
各グループのダイジェスト時間の割り当てが決まると、次にダイジェスト生成部１４はグループごとにカットの抽出位置を決定する。図６の（ａ）に示したように第１グループの本編リストファイルでは再生時間の１５分から６カットを抽出するので、間隔が２分半となる位置からカットを抽出する。すなわち、図６の太枠で囲まれた各本編画像データから濃色の四角形が抽出されるカットに相当し、まず第１グループの本編リストファイルで最初に再生される本編画像データ１の先頭から５秒のカットを抽出し、次は先頭から２分半再生時間が経過した位置から５秒のカットを抽出する。というように以下同様に前後のカット先頭の間隔が２分半となる位置から６カットを抽出し、第１グループのダイジェスト画像とする。
【００５４】
このダイジェスト画像はダイジェスト画像データとして再エンコード（符号化）を行って、実データを生成してもよいが、再生されるのは本編画像データの一部区間となるため、上述したように本編リストファイル図４の（ａ）と同じ構成とするよい。すなわち第１グループの本編リストファイルのダイジェスト画像である第１グループのダイジェストリストファイルをファイル名“リストファイル１０１”とし、ファイルには第１グループに属するダイジェスト画像のカット数と、第１グループに属するダイジェストのカットの抽出もとの本編画像データのファイル名と、そのカットの区間が再生区間情報で格納される。この場合も本編リストファイルと同様に、ファイル名はファイルを特定することが可能な情報であればよく、再生区間情報は、再生開始と再生終了を示すファイル上での位置を示す情報とする。また実施例のように常に１カットを５秒とする場合には、再生開始を示す情報だけを格納し、後述する画像データ再生装置２０で再生する時には、常にその開始位置から５秒間再生する構成としてもよい。また、本編、ダイジェスト、どちらのリストファイルもファイル先頭から記録されたファイル名と再生区間順が、そのリストファイルでの再生順を示すものとする。
【００５５】
以下、同様にダイジェスト生成部１４は、第２グループの本編リストファイル“リストファイル００２”のダイジェスト画像をダイジェストリストファイル“リストファイル１０２”と、第３グループの本編リストファイル“リストファイル００３”のダイジェスト画像をダイジェストリストファイル“リストファイル１０３”とを作成し、作成したすべてのダイジェストリストファイルを、記録部１７を介して記録媒体１８に記録する。このとき図５に示すように、ダイジェストリストファイルは上述した本編リストファイルを記録するリスト情報ディレクトリと同じディレクトリ下に記録するとよい。
【００５６】
またここで、記録部１７は記録媒体１８に記録される全ての本編リストファイルおよびダイジェストリストファイル内にファイル名が格納され参照先となっている画像データも、図６に示すように画像データを記録するための画像データディレクトリを生成し、そのディレクトリ下に記録する。但し、ある画像データを本編リストファイルでもダイジェストリストファイルでも参照先としてファイル名を格納している場合には、画像データは１ファイル記録するだけで本編リストファイル用とダイジェストリストファイル用の２つのファイルを記録しない。例えば、図４（ａ）の第１グループの本編リストファイルとして、最初に再生する画像データは“本編画像データ１”であるが、同時に図４（ｂ）の第１グループのダイジェストリストファイルでも最初に再生する画像データも“本編画像データ１”である。このとき、本編リストファイルとダイジェストリストファイルが参照する“本編画像データ１”は、図５の画像データディレクトリ下に１ファイルだけ記録される。このようにすることで記録媒体１８の使用容量を抑えることができる。
【００５７】
次に、メニュー画像データ管理部１５は、本編リストファイルであるリストファイル００１〜００３と、ダイジェストリストファイルであるリストファイル１０１〜１０３に基づいて後述するサムネイルメニュー画像７０と図８の制御情報からなるサムネイルメニュー画像データを生成すると共に、再生切替メニュー画像１２０と図１２の制御情報からなる再生切替メニュー画像データを生成して、記録部１７を介し記録媒体１８に記録する（Ｓ１６０）。但し、予め一意に決められた制御情報およびメニュー画像を、常にどの記録媒体に対しても記録する場合には、必ずしもメニュー画像データを記録処理のたびに生成する必要なく、メニュー画像データ管理部１５内にメモリを設けて、そこに予め一意に決められた制御情報を含んだメニュー画像データを記録して保持し、必要に応じてそのメモリよりメニュー画像データを読み出して記録媒体１８に記録する構成としてもよい。
【００５８】
図７は、本実施形態のメニュー画像データ管理部１５が生成するサムネイルメニュー画像データによるサムネイルメニュー画像７０の一例を示している。
【００５９】
図７のサムネイルメニュー画像データによるサムネイルメニュー画像７０は、任意の本編リストファイルまたはダイジェストリストファイルを選択し再生開始するためのメニュー画像で、サムネイルメニュー画像データは、後述する画像データ再生装置２０が記録媒体２１の再生時に装置利用者が所望の本編またはダイジェスト画像を見つけられるよう、縮小画像であるサムネイル画像７１ａ〜ｆと背景画像７２、ボタン画像７３ａ〜ｆからなる表示画像情報と、ボタン画像を選択実行時に再生装置で行われる再生制御のための制御情報と、から構成され、各サムネイル画像と同数のボタン画像を図７に示したようにそれぞれ上下に表示するとよい。
【００６０】
７１ａ〜ｆ、７２、７３ａ〜ｆの表示画像情報は、記録および再生される画像データのフォーマットに従い、表示する画像情報、画面上での表示位置を指定する情報等で構成されていればよいものとし、ここでは詳細な説明は省略する。また、サムネイル画像７１ａ〜ｆとボタン画像７３ａ〜ｆは、それぞれ７１ａは７３ａ、７１ｂは７３ｂ、・・・と対応関係がわかればよいものとし、必ずしも図７に示したように、それぞれが上下に表示されなくとも、各サムネイル画像の右横に対応するボタン画像を表示するようにしたり、各サムネイル画像の枠として対応するボタン画像を表示するようにしたりしてもよい。また、サムネイル画像だけでなく、ファイル名、リストファイルの作成日時、画像データの取得または記録日時などを併せて表示してもよい。
【００６１】
次に図７に示したサムネイルメニュー画像データの制御情報を図８に示す。メニュー画像データ管理部１５は、リストファイル数だけのボタン画像に対応する制御情報を生成する。この制御情報中のボタン７３ａ〜ｆが、それぞれ図７のボタン画像７３ａ〜ｆに対応するものとする。制御情報が表示画像上のどのボタン画像の制御情報に当たるのか指定するための情報として、表示画像情報内のボタン画像データ毎にボタン７３ａ〜ｆのボタン名をデータとして格納することで、後述する画像データ再生装置２０が、ボタン画像と制御情報との対応がわかるようにしてもよいし、また制御情報内に対応するボタン画像の位置情報を格納し、表示画像情報内のボタン画像との対応を示すように構成してもよい。
【００６２】
図８の制御情報は、ボタン毎に上下左右入力に対して次にどのボタンに移動するかの方向情報と指示情報とからなる。
【００６３】
方向情報は、後述する画像データ再生装置２０でこのサムネイルメニュー画像７０が表示されたとき、十字方向キー・決定ボタン２６を押し下げる等の操作での入力によって（以降、単に十字方向キー・決定ボタン２６からの入力とする）、上下左右のいずれか一方向の入力がなされたとき、次にどのボタンが選択されるかを示す情報として、上ボタン、下ボタン、右ボタン、左ボタンの上下左右の４つの情報が格納される。
【００６４】
すなわち、後述する画像データ再生装置２０でこのサムネイルメニュー画像７０が表示されボタン画像７３ａが選択されているとき、十字方向キー・決定ボタン２６からの入力により、上方向への入力があると、図８に示すボタン７３ａの方向情報の上ボタンは“無し”なので、ボタン７３ａが選択されたままとなり、また右方向への入力があると、右ボタンが“７３ｂ”なので、ボタン７３ｂに選択ボタンが切り替わる。ここで、制御情報にはさらに十字方向キー・決定ボタン２６からの入力がある前に、最初に選択されるボタン名を記録するフィールドを設けて、ボタン７３ａ〜７３ｆのいずれかを格納するようにするとよい。また選択されたボタンを判別し易くするために、ボタンの表示画像を２種類用意し、制御情報にはさらに選択されたときの表示画像を指定するための値を格納するフィールドと、選択されていないときの表示画像を指定するための値を格納するフィールドを設けるとよい。またその場合、選択されたとき、選択されていないときのボタン画像も上述した制御情報とボタン画像の対応と同様に識別するための番号を付ける等の構成が必要となる。また、方向情報として、“無し”という情報の代わりに、操作しても選択したボタンが変わらないことを示すため、そのボタン名を記録するようにしてもよい。このとき上述した例では、ボタン７３ａの方向情報のうち、上ボタンと左ボタンは“７３ａ”となる。
【００６５】
次に図８の指示情報について述べる。指示情報には７３ａ〜ｆのいずれかのボタンが選択されているとき、画像データ再生装置２０の十字方向キー・決定ボタン２６による決定入力によって実行される再生制御のための指示情報と、その数が格納される。メニュー画像データ管理部１５は、本編リストファイルのサムネイル画像下に表示されるボタン（ボタン７３ａ〜ｃ）に、指示情報１として“メニューメモリに“サムネイルメニューを示す値”を記録する”を、指示情報２としては“再生する本編リストファイルのファイル名”を格納し、最後の指示情報３には、それぞれ指示情報が終了したことを示す“終了”を格納する。
【００６６】
また、ダイジェストリストファイルのサムネイル画像下に表示されるボタン（ボタン７３ｄ〜７３ｆ）には、指示情報１として“メニューメモリに“再生切り替えメニュー画像を示す値”を記録”を、指示情報２として“再生画像選択メモリに“ダイジェストリストファイルを示す値”を記録”を、指示情報３として“再生する本編リストファイルのファイル名”を格納し、最後の指示情報４には、それぞれ指示情報が終了したことを示す“終了”を格納する。
【００６７】
尚、図８では説明の便宜上、指示情報に格納される意味をそのまま文字で示したが、次のようにビット列で構成するとよい。例えば指示情報を１６ビットの情報とする。このうち上位８ビットを動作すべき指示を示すコマンド情報とし、下位８ビットをそのコマンドで使用する値を示す変数情報とする。このとき上位８ビットのコマンド情報ｂ７…ｂ０を図９のように定義するものとする。但し、ここでｂｘ（ｘ=７、・・・、０）は、０か１かのいずれかで１ビットのデータを表すものとする。
【００６８】
ｂ７の変数情報フラグは、０のときには下位８ビットの変数情報フィールドを使用しないものとし、１のときには変数情報フィールドを使用するものとする。またｂ６〜ｂ４までの３ビットは常に０として、ｂ３〜ｂ０までの４ビットのコマンドを、図１０のように定義する。ここで「再生切り替えメニューを示す値」を変数情報１とし（＝２進数で００００ ０００１）、「サムネイルメニューを示す値」を変数情報２（＝２進数で００００ ００１０）とすると、図８のボタン７３ａの指示情報は、
指示情報１ = １０００ ００００ ００００ ００１０
指示情報２ = １０００ ００１０ ００００ ０００１
指示情報３ = ００００ １１１１ ００００ ００００
と表すことができる。
【００６９】
同様に、「本編リストファイルを示す値」を変数情報０（＝２進数で００００ ００００）、「ダイジェストリストファイルを示す値」を変数情報１００（＝２進数で０１１０ ０１００）とすると、ボタン７３ｆの指示情報は、
指示情報１ = １０００ ００００ ００００ ０００１
指示情報２ = １０００ ０００１ ０１１０ ０１００
指示情報３ = １０００ ００１０ ０１１０ ０１１１
指示情報４ = ００００ １１１１ ００００ ００００
と表すことができる。
【００７０】
尚、変数情報フラグ＝０のときには変数情報を必要としないので変数情報フィールド省略してもよく、例えば、上記ボタン７３ａの指示情報３やボタン７３ｆの指示情報４は００００ １１１１としてもよい。
【００７１】
次に図１１を用いて再生切り替えメニュー画像データについて述べる。再生切り替えメニュー画像データは、上述したサムネイルメニュー画像データ同様、表示画像情報と制御情報から構成される。表示画像情報は、後述する画像データ再生装置２０において、任意の本編リストファイルまたはダイジェストリストファイルが再生されているとき、メニュー表示ボタン２５の押し下げ操作等による入力（これ以降、単にメニュー表示入力とする）があると、再生中の画像データの再生を停止した後、表示される再生切替メニュー画像１１０の情報で、ダイジェスト画像から本編画像へまたは本編画像からダイジェスト画像への再生の切り替え１１１、あるいはサムネイルメニュー画像の呼び出し１１２等を選択して決定するためのボタン画像や、背景画像から構成される。また制御情報は、ボタン画像１１１〜１１３に対応し、１１１〜１１３のいずれかのボタンが十字方向キー・決定ボタン２６からの入力により、選択し決定されたときに画像データ再生装置２０で実行する再生制御のための情報から構成される。
【００７２】
このうち表示画像情報は上述したサムネイルメニュー画像データ同様、記録および再生される画像データのフォーマットに従っていればよいものとし、ここでは詳細な説明を省略する。
【００７３】
次に図１１に示した再生切り替えメニューの制御情報を図１２に示す。メニュー画像データ管理部１５は、ボタン１１１（再生切り替えボタン）、ボタン１１２（サムネイルメニュー画像呼出ボタン）、ボタン１１３（キャンセルボタン）の３つのボタンの制御情報を生成する。ボタン１１１〜１１３の制御情報は、上述したサムネイルメニュー画像データと同様に、制御情報内のボタン番号１１１〜１１３が、表示画像の各ボタン画像内にも格納されており、同じ番号の制御情報と画像情報が対応するように構成されているものとする。
【００７４】
再生切替メニュー画像データのボタン１１１〜１１３の制御情報も、上述したサムネイルメニュー画像データのボタン７３ａ〜７３ｆと同様に、方向情報と指示情報から構成されるものとする。
【００７５】
方向情報は、画像データ再生装置２０でのメニュー表示入力で再生切替メニュー画像１１０が表示されたとき、十字方向キー・決定ボタン２６からの方向入力によって、上下左右のいずれか一方向の入力があったときに、どのボタンが選択されるかを示す情報で、上下左右の４方向の入力に対応するボタン番号がそれぞれ格納されるものとする。すなわちボタン１１１は、十字方向キー・決定ボタン２６からの上方向、右または左方向のいずれの入力があった場合も、図１２の（ａ）に示したように方向情報は“無し”なので、ボタン１１１が選択されたままとなり、下方向に入力があった場合、下ボタンは“１１２”で、ボタン１１２のサムネイルメニュー画像呼出ボタンに選択ボタンが切り替わる。
【００７６】
また、ここでは上述したサムネイルメニューと同じデータ構造となるよう、上下左右の４方向の情報を格納するフィールドを設けたが、図１１の例のようにボタン１１１〜１１３の全てのボタンで左右方向のボタンの情報が“無し”の場合には、全てのボタンで左右方向のボタン情報を格納するフィールドを省略してもよい。また上述したサムネイルメニュー画像データ同様、制御情報にはさらに十字キーによる入力がある前に、最初に選択されるボタンを記録するフィールドを設けてボタン１１１〜１１３のいずれかを格納するようにしてもよいし、また選択されたボタンを判別し易くするために、ボタンの表示画像を２種類用意し、十字キーでの入力と同じように選択されたときの表示画像を指定するための値を格納するフィールドと、選択されていないときの表示画像を指定するための値を格納するフィールドを設けるとよい。またその場合、表示画像にもボタンと同じように識別するための番号を付けるなどの構成が必要となる。また、サムネイルメニュー画像も再生切替メニュー画像も、画像データ再生装置２０に十字方向キー・決定ボタン２６ではなく直接ボタン番号を入力できる入力部をさらに設けることで、直接ボタン番号を指定して入力し再生制御部２４は入力のあった番号のボタンの指示情報を処理するようにしてもよい。また、方向情報で“無し”を記録する代わりに、そのボタン自身の番号を記録してもよい。
【００７７】
次に図１２の各ボタンの指示情報について述べる。指示情報は上述したサムネイルメニュー画像データ同様に、各ボタンが選択されているときに画像データ再生装置２０の十字方向キー・決定ボタン２６による決定入力によって実行される再生制御のための指示情報と、その数が格納されている。
【００７８】
メニュー画像データ作成部１５は、図１２（ａ）に示す再生切替ボタンであるボタン１１１には、ダイジェスト画像から本編画像へ、または本編画像からダイジェスト画像へ、再生を切り替えるための指示情報を、図１２（ｂ）に示すサムネイルメニュー画像呼出ボタンであるボタン１１２にはサムネイルメニューを表示するための指示情報を、また図１２（ｃ）に示すキャンセルボタンであるボタン１１３には、再生切替メニュー画像を再生する前に再生していた画像データを続きから再生するための指示情報が格納される。尚、これらの指示情報による再生制御については画像データ再生装置２０で詳しく述べる。
【００７９】
また、図１２には指示情報に格納される意味をそのまま文字で示したが、上述したサムネイルメニュー画像データと同様に、図１２の指示情報は８ビットのコマンド情報と８ビットの変数情報からなる１６ビットで表すことができる。
【００８０】
またこのとき４ビットのコマンドを、サムネイルメニュー画像データでのコマンドに加えて図１３のように定義すると、
【００８１】
このとき図１２の（ａ）ボタン１１１の指示情報は、
指示情報１＝１０００ ００００ ００００ ０００１
指示情報２＝１０００ １００１ ００００ ００００
指示情報３＝１０００ １０００ ００００ １０００
指示情報４＝１０００ ０００１ ００００ ００００
指示情報５＝００００ １１００ ００００ ００００
指示情報６＝１０００ ０１００ ０１１０ ０１００
指示情報７＝１０００ １０００ ００００ １０１１
指示情報８＝１０００ ０００１ ０１１０ ０１００
指示情報９＝００００ １１００ ００００ ００００
指示情報１０＝１０００ ００１１ ０１１０ ０１００
指示情報１１＝００００ １１１１ ００００ ００００
となり、図１２の（ｂ）ボタン１１２の指示情報は、
指示情報１＝００００ ０１０１ ００００ ００００
指示情報２＝００００ １１１１ ００００ ００００
となり、図１２の（ｃ）ボタン３の指示情報は、
指示情報１ = １０００ ００００ ００００ ０００１
指示情報２ = ００００ ０１１１ ００００ ００００
指示情報３ = ００００ １１１１ ００００ ００００
と表すことができる。尚、変数情報フラグ＝０のときには変数情報を必要としないので変数情報フィールド省略してもよい。
【００８２】
メニュー画像データ作成部１５は、上述した図７のサムネイルメニュー画像７０と図８のその制御情報指示情報とを含むサムネイルメニュー画像データと、図１１の再生切替メニュー画像と図１２のその制御情報とを含む再生切替メニュー画像データとを、記録部１７を介して記録媒体１８に記録する。
【００８３】
画像データ記録装置１０では、最後に初期再生情報生成部１６で初期再生情報を生成し記録媒体に記録する。（Ｓ１７０）
【００８４】
初期再生情報生成部１６では、記録媒体１８が画像データ再生装置２０で再生されるとき最初に再生制御を行うためと、メニュー表示入力があったとき再生制御を行うためと、の指示情報が生成される。この指示情報を図１４に示す。これらの指示情報も図１３の指示情報に従い、次のように表すことができる。
指示情報１ = １０００ １０１０ ００００ ０００１
指示情報２ = １０００ １０００ ００００ ０１０１
指示情報３ = ００００ ０１０１ ００００ ００００
指示情報４ = １０００ １０００ ００００ ０１１０
指示情報５ = ００００ ０１１０ ００００ ００００
指示情報６ = ００００ １１１１ ００００ ００００
このように生成された初期再生情報が、記録部１７を介して記録媒体１８に記録される。
【００８５】
また、初期再生情報は上述したメニュー画像データと同様に、常に指示情報が一意に決まっている場合には、記録の都度初期再生情報生成部１６で生成するのではなく、初期再生情報生成部１６内に設けたメモリ内に、指示情報を記録し、記録媒体１８に記録するときはその値をメモリから取得して記録する構成としてもよい。
【００８６】
（画像データ再生装置および再生方法）
次に、図１５を用いて本発明に係る画像データ再生装置を説明する。
【００８７】
図１５は、本実施形態の画像データ再生装置の構成の一例を示すブロック図である。
【００８８】
画像データ再生装置１５は、画像データと、本編リストファイルと、ダイジェストリストファイルと、サムネイルメニュー画像データと、再生切替メニュー画像データと、初期再生情報と、が記録された記録媒体２１と、記録媒体２１より全てのデータを読み出し再生する再生部２２と、再生部２２で再生された本編またはダイジェスト画像データ、あるいはメニュー画像データを表示するための表示部２３と、再生部２２にて再生された初期再生情報やメニュー画像データ内の制御情報と、メニュー表示ボタン２５や十字方向キー・決定ボタン２６からの入力とにもとづき、再生装置を制御する再生制御部２４と、表示部にて表示されるメニュー画像から再生制御部を操作するための入力を行う十字方向キー．決定ボタン２６と、メニュー画像を表示するときに入力を行うメニュー表示ボタン２５と、から構成される。
【００８９】
ここで、画像データ再生装置２０の再生制御部２４には、リジュームメモリ２４ａ、再生画像選択メモリ２４ｂ、メニューメモリ２４ｃが設けられている。これらのメモリ２４ａ〜２４ｃは、再生制御に利用する情報を記録するための情報記録領域で、再生制御時に情報の取得ができれば、再生制御部２４の外に設けられていてもよいし、また一つのメモリで兼用しても勿論よい。そして、再生制御部２４は、記録媒体２１の交換時や挿入時さらには、本装置の電源オン時またはオフ時等には、各メモリ２４ａ〜２４ｃの内容を初期化するものとする。初期化は、メモリ内に初期値を記録することとし、ここでは各メモリに記録され得る値以外の値、例えばメモリに自然数が記録される場合には０や負の整数等を初期値としたり、記録媒体挿入時、または電源オン時に予め設定したい値を初期値とするとよい。
【００９０】
また、記録媒体２１は、上述の実施形態の画像データ記録装置１０等によってデータが記録された記録媒体１８である。よって、再生部２２は、この記録媒体２１に応じた再生部２２となり、記録媒体２１がハードディスクであれば磁気ヘッド、光ディスクであれば光ピックアップ等の記録媒体２１へのアクセス部とその移動の制御、光ディスク等の記録媒体２１を回転させるモータとその回転の制御、併せて記録媒体２１に記録された信号を読み出すために必要なデータ変調等の信号処理部を備え、また画像データおよび画面データの符号化方式に応じた復号化（デコード）処理を行うものとし、さらに初期再生情報およびメニュー画像データ内のボタンの制御情報を再生制御部２４に送信するものとする。
【００９１】
また、再生制御部２４は、メニュー表示ボタン２５と、十字方向キー・決定ボタン２６また再生開始、再生停止、巻き戻し、早送りなどの一般的な画像データ再生装置が有する操作入力をおこなうための再生操作入力部２７からの入力に応じて動作するものとする。例えば、再生操作入力部２７より再生開始が入力されれば再生開始する画像データを、再生部２２にて取得して復号化処理を行い、表示部２３に復号化した画像データを表示するように制御するものとする。また再生制御部２４は、メニュー表示ボタン２５からの入力があると、再生中の画像データを停止し、その再生停止した画像データの再生停止位置を特定するための全ての情報をリジュームメモリ２４ａに記録するものとする。
【００９２】
また上下左右の方向を入力してカーソル等を移行し操作を決定する十字方向キー・決定ボタン２６は、表示部２３に表示されたメニュー画面上のボタンを選択肢として選択して決定するもので、十字方向キーの上下左右方向の入力により方向情報を、また選択したボタンに対する決定ボタンの入力によりそのボタンの指示情報を、再生制御部２４にて処理するものとする。また、メニュー表示ボタン２５、十字方向キー・決定ボタン２６、または再生に関する入力は、画像データ再生装置２０内に設けず、赤外線リモコン等を用いて、リモコン上のキー操作から入力するようにしてもよい。その場合画像データ再生装置２０には、赤外線リモコンからのからの信号を受信するためのインターフェースが必要となる。
【００９３】
次に本実施形態の再生動作を、（１）〜（３）の３つの動作に分けて説明する。
【００９４】
（１）再生処理開始時またはメニュー表示入力があったときの初期再生情報の処理動作
まず、本画像データ再生装置２０の再生処理開始時またはメニュー表示入力があったときに、初期再生情報の指示情報を処理することにより、サムネイルメニュー画像７０または再生切替メニュー画像１１０を表示する処理について説明する。
【００９５】
図１６は、初期再生情報の処理によるサムネイルメニュー画像７０または再生切替メニュー画像１１０を表示する動作の一例を示すフローチャートである。
【００９６】
画像データ再生装置２０では、装置利用者により再生操作入力部２７等から再生開始が入力され記録媒体２１の再生処理が開始したとき、または記録媒体２１に記録された本編画像データまたはダイジェスト画像データを再生中に、メニュー表示ボタン２５よりメニュー表示入力があったとき、まず再生制御部２４は、再生部２２を介して記録媒体２１から初期再生情報（図１４参照）を取得する（Ｓ２１０）。ここで、記録媒体２１が画像データ再生装置２０に取り付けられた場合や挿入した場合などに、装置利用者により再生操作入力部２７等から再生開始の入力がなされない場合でも初期再生情報を取得し、再生制御部内に初期再生情報を記録しておくメモリを設けて、再生開始処理またはメニュー表示入力があったときにはそのメモリから取得する構成としてもよい。
【００９７】
再生制御部２４が記録媒体２１から取得する初期再生情報は、図１４に示すように、指示情報１〜６から構成されているので、再生制御部２４は、初期再生情報を構成する指示情報１〜６をその順に実行して（Ｓ２２０）、初期再生情報に応じた再生処理を行う。
【００９８】
すなわち、再生制御部２４は、まず指示情報１を実行する。ここで再生される記録媒体２１は上述した画像データ記録装置１０で記録された記録媒体１８であり、初期再生情報として図１４に示した初期再生情報の指示情報が記録されており、その指示情報１は、“メニューメモリに再生切替メニューを示す値が記録されていれば指示情報２を実行し、それ以外の値が記録されているときは指示情報２を無視して次の指示情報３を実行する。”という指示であるので、メニューメモリ２４ｃに“再生切替メニューを示す値”または“サムネイルメニューを示す値”のどちらが記録されているかを判断する（Ｓ２３０）。
【００９９】
ここで、初期再生情報処理時、メニューメモリ２４ｃには、初期値が記録されており“再生切替メニューを示す値”ではないため、再生制御部２４は、メニューメモリ２４ｃに“再生切替メニューを示す値”が記録されていないと判断して（Ｓ２３０”Ｎｏ”）、次の指示情報２を無視し、指示情報３を実行する。
【０１００】
指示情報３は、図１４に示すように、“サムネイルメニュー画像を再生・表示”という指示であるので、再生制御部２４は、再生部２２を介して記録媒体２１からサムネイルメニュー画像７０の画像データを読み出して、サムネイルメニュー画像７０を表示部２３に表示する（Ｓ２４０）。
【０１０１】
次に、図１４に示す初期再生情報の指示情報４は“指示情報６へ”の移動を示す指示であり、指示情報６は“終了”の指示であるので、再生制御部２４は、これにより初期再生情報の処理を終了する。なお、再生されるサムネイルメニュー画像７０は、再生制御部２４から次の再生制御が行われるまで、表示部２３にて表示されたままとする。
【０１０２】
これに対し、Ｓ２３０の判断で、メニューメモリ２４ｃに“再生切替メニューを示す値”が記録されていた場合には（Ｓ２３０”Ｙｅｓ”）、再生制御部２４は、次の指示情報である指示情報２を実行する。
【０１０３】
指示情報２は、図１４に示すように、“指示情報５へ”であり、指示情報５は“再生切替メニュー画像１１０を再生・表示”という指示であるので、再生制御部２４は、再生部２２を介して記録媒体２１から再生切替メニュー画像１１０の画像データを読み出して、再生切替メニュー画像１１０を表示部２３に表示する（Ｓ２５０）。なお、再生される再生切替メニュー画像１１０も、再生制御部２４から次の再生制御が行われるまで、表示部２３にて表示されたままとする。
【０１０４】
尚、メニューメモリ２４ｃに再生切替メニューを示す値が記録される場合とは、後述するように図７に示すサムネイルメニュー画像７０にて、第１〜第３グループのダイジェスト画像データのサムネイル画像７１ｄ〜７３ｆ下のボタン画像７３ｄ〜７３ｆのいずれかにカーソルなどにより選択されていることを示す表示があるとき、十字方向キー・決定ボタン２６から決定を入力することで、図８に示すそれぞれの指示情報が１から順に実行された場合、および図１１に示す再生切替メニュー画像１１０にてボタン１１１やボタン１１３が、上述のボタン操作と同様に十字方向キー・決定ボタンからの決定入力により、それぞれの指示情報が１から順に実行された場合である。
【０１０５】
従って、装置利用者により再生操作入力部２７等から再生開始が入力され本装置にて再生処理が開始した場合には、まずは、サムネイルメニュー画像７０が表示部２３に表示され、その後、ダイジェスト画像データを再生する等、メニューメモリ２４ｃに“再生切替メニューを示す値”が記録されれば、次にメニュー表示入力があった場合にはＳ２３０の“Ｙｅｓ”となり、再生切替メニュー画像１１０が表示部２３に表示されることになる。
【０１０６】
また、本実施形態では、説明の便宜上、２つのメニュー画像のいずれかが再生・表示される構成を示したが、初期再生情報の処理を行うことで、いずれのメニュー画像も表示されること無く、本編画像やダイジェスト画像が再生・表示される構成としても良い。また、画像データ再生装置の構成として、メニューメモリに“再生切替えメニュー”、“サムネイルメニュー”のいずれを示す値でもなく、初期値が記録されていた場合には、本編画像またはダイジェスト画像の再生を開始する構成としてもよい。
【０１０７】
（２）サムネイルメニュー画像７０からの本編画像データの再生動作
次に、図１６のＳ２４０の処理により表示部２３に表示されたサムネイルメニュー画像７０にて、第１〜第３グループの本編画像データのサムネイル画像７１ａ〜７３ｃ下のボタン画像７３ａ〜７３ｃのいずれを十字方向キー・決定ボタン２６により選択され決定入力がなされたとき、本編画像データが再生される動作の一例について説明する。
【０１０８】
図１７は、サムネイルメニュー画像７０にて第１〜第３グループの本編画像データのサムネイル画像７１ａ〜７３ｃ下のボタン画像７３ａ〜７３ｃのいずれを十字方向キー・決定ボタン２６により選択され決定入力がなされたとき、本編画像データが再生される動作の一例を示すフローチャートである。
【０１０９】
画像データ再生装置２０では、図１６に示すＳ２４０の処理によりサムネイルメニュー画像７０が表示され、装置利用者がサムネイルメニュー画像７０上に表示されている本編画像データあるいはダイジェスト画像データのサムネイル画像７１ａ〜７１ｆ下のボタン７３ａ〜７３ｆを十字方向キー・決定ボタンで選択し決定入力するか、または決定ボタンによる入力の代わりに再生操作入力部２７より再生開始を入力すると、まず再生制御部２４は、再生部２２を介して記録媒体２１から、その入力操作のあったボタン７３ａ〜７３ｆのいずれかの指示情報（図８参照）を取得し（Ｓ３１０）、指示情報を１から順に処理する。尚、これに限らず、ボタン画像７３ａ〜７３ｆが選択され決定入力がなされる前に、再生制御部２４は、全てのボタン画像７３ａ〜７３ｆに対応する制御情報を取得するようにし、初期再生情報の処理でも述べたように再生制御部２４内に全てのボタンの制御情報を記録しておき、十字方向キーによる上下左右のいずれか一方の方向入力や決定ボタンまたは再生操作入力部２７の再生開始による選択されたボタンの決定入力があったときに、そのメモリから制御情報を取得し処理する構成としてもよい。
【０１１０】
ここで、本編画像データのサムネイル画像７１ａ下のボタン画像７３ａが、十字方向キー・決定ボタンにより選択され決定入力がされた場合について説明する。まず、再生制御部２４は、取得したボタンボタン７３ａの指示情報１を実行する。ボタン７３ａの指示情報１は、図８（ａ）に示すように“メニューメモリにサムネイルメニューを示す値を記録”であるので、再生制御部２４は、メニューメモリ２４ｃにサムネイルメニューを示す値を記録する。すなわち、指示情報１＝１０００ ００００ ００００ ００１０を処理することで、メニューメモリ２４ｃにはサムネイルメニューを示す値００００００１０＝１０進数で２が記録される。
【０１１１】
次に、再生制御部２４は、指示情報２を実行するが、画像選択ボタン７３ａの指示情報２は本編リストファイルである“リストファイル００１を再生”という指示であるので、再生制御部２４は、リストファイル００１を、再生部２２を介して記録媒体より取得して、表示部２３に第１グループの本編画像データを再生する（Ｓ３３０）。
【０１１２】
これと同様に、サムネイルメニュー画像７０にて他の本編画像データのサムネイル画像７１ｂ，７１ｃ下のボタン画像７３ｂ，７３ｃが選択され決定入力がなされた場合も同様に処理され、Ｓ３３０にて、それぞれ第２、第３グループの本編画像データが再生される。
【０１１３】
尚、サムネイルメニュー画像７０にてダイジェスト画像データのサムネイル画像７１ｄ〜７１ｆ下のボタン画像７３ｄ〜７３ｆが選択され決定入力がなされた場合には、記録媒体２１から図８（ｄ）〜（ｆ）に示すようにボタン７３ｄ〜７３ｆの指示情報１〜４を取得するので、Ｓ３２０にてメニューメモリ２４ｃには再生切替メニューを示す値が記録される。すなわち指示情報１ = １０００ ００００ ００００ ０００１が処理され、メニューメモリ２４ｃには０００００００１＝１０進数で１が記録されると共に、さらに再生画像選択メモリ２４ｂにダイジェストリストファイルを示す値を記録する。すなわち、指示情報２ = １０００ ０００１ ０１１０ ０１００に従い、再生画像選択メモリ２４ｂには０１１００１００＝１０進数で１００が記録される。そして、本編画像データの場合と同様に、Ｓ３３０にて、対応する第１〜第３グループのダイジェスト画像データが再生されることになる。
【０１１４】
このように装置利用者は、サムネイルメニュー画像７０に表示された本編画像データやダイジェスト画像データのサムネイル画像７１ａ〜７１ｆから、それぞれに対応するボタン画像７３ａ〜７３ｆを十字方向キー・決定ボタン２６により選択し決定すると、選択された本編リストファイルまたはダイジェストリストファイルを再生することができる。また同時にその画像データの再生の前には、メニューメモリ２４ｃにサムネイルメニューまたは再生切替メニューを示す値が記録される。
【０１１５】
これにより、画像データの再生中に装置利用者によりメニュー表示入力があると、再生制御部２４は、後述するように、サムネイルメニュー画像７０または再生切替メニュー画像１１０のどちらかを初期再生情報の処理に従い表示部２３に表示する。
【０１１６】
つまり、本編画像データあるいはダイジェスト画像データの再生途中で、メニュー表示ボタン２５によるメニュー表示入力がない場合には（Ｓ３４０”Ｎｏ”）、本編リストファイルまたはダイジェストリストファイルの参照先である本編画像データまたはダイジェスト画像データを終端まで再生する（Ｓ３５０）。そして、終端まで再生すると、再生制御部２４は、“終了”の指示情報（図８に示すように本編画像データの場合は指示情報３、ダイジェスト画像データの場合は指示情報４である。）を実行して、本編画像データまたはダイジェスト画像データの再生を停止する（Ｓ３６０）。このとき再生制御部２４は、例えば、再生停止してブルーバックの表示や、または初期再生情報を処理する、または再生が停止したことを表示するなどの制御をしてもよい。
【０１１７】
これに対し、本編画像データまたはダイジェスト画像データの再生中に、メニュー表示ボタン２５（図１５参照）によりメニュー表示入力があると（Ｓ３４０”Ｙｅｓ”）、再生制御部２４は、再生していた画像を停止する（Ｓ３７０）。
【０１１８】
次に、再生制御部２４は、再生中の本編画像データまたはダイジェスト画像データの再生停止リストファイルを示すリストファイル名の番号Ｎと、リストファイルで参照されている画像データの番号（例えば１番最初に参照され１番最初に再生される画像データの番号を１とし、以降順に２、３、・・・とする）、その画像データ先頭からの経過時間やフレーム数、ＧＯＰ数、バイト数等、画像データ上での再生停止位置を示す再生停止位置情報等をリジュームメモリ２４ａに記録し（Ｓ３８０）、次いで図１６の処理に戻る。
【０１１９】
このように画像データ再生装置２０では、メニュー表示入力があると、常に再生中の画像データを停止し、その停止位置に関する情報をリジュームメモリに記録し、初期再生情報の処理を行うものとする。
【０１２０】
これにより、サムネイルメニュー画像７０から本編画像データを選択して再生しているとき、メニューメモリ２４ｃには、サムネイルメニューを示す値が記録されており、ここで装置利用者よりメニュー表示入力がなされると、初期再生情報処理のＳ２３０の処理により“Ｎｏ”と判断され、サムネイルメニュー画像７０が表示部２３に表示される。よって装置利用者は、そのサムネイルメニュー画像７０を参照して、再び所望の本編画像データまたはダイジェスト画像データの再生を選択することができる。
【０１２１】
また、サムネイルメニュー画像７０からダイジェスト画像データを選択して再生しているとき、メニューメモリ２４ｃには再生切替メニューを示す値が記録されており、ここで装置利用者よりメニュー表示入力がなされると、初期再生情報処理のＳ２３０の処理により“Ｙｅｓ”と判断され、再生切替メニュー画像１１０が表示部２３に表示される。よって装置利用者は、その再生切替メニュー画面１１０を参照して、後述するように再生切替等の処理を選択することができる。
【０１２２】
尚、図８に示すボタン７３ａ〜７３ｃの指示情報１において、メニューメモリ２４ｃにサムネイルメニューを示す値を記録するようにしているが、“再生切替メニューを示す値を記録する”よう指示情報を変更することで、本編リストファイルの再生途中でメニュー表示入力があると、ダイジェストリストファイルの再生と同様再生切替メニュー画像１１０が表示される構成とすることができる。
【０１２３】
また、例えば、グループ１の本編画像データを再生するためのボタン画像７３ａの指示情報２の次の指示情報３を“リストファイル００２を再生”とし、その次の指示情報４を”リストファイル００３を再生”とし、最後の指示情報５を”終了”と設定すれば、グループ１の本編画像データを再生するための画像選択ボタン７３ａを選択し決定することで、記録媒体２１に記録された全ての本編画像データを再生することが可能となる。
【０１２４】
（３）再生切替メニュー画像１１０からの再生動作
次に、図１６のＳ２５０の処理により表示部２３に表示された再生切替メニュー画像１１０において、ボタン１１１による再生切替えや、ボタン１１２によるサムネイルメニュー画像呼出し、またボタン１１３によるキャンセルについての動作例を説明する。
【０１２５】
図１８および図１９は、再生切替メニュー画面１１０において、ボタン１１１による再生切替えや、ボタン１１２によるサムネイルメニュー画像呼出し、またボタン１１３によるキャンセルについての動作例を示すフローチャートである。
【０１２６】
（３-１）サムネイルメニュー画像呼出ボタンであるボタン１１２が選択決定された場合
まず、表示部２３に表示された再生切替メニュー画像１１０にて、装置利用者によりサムネイルメニュー画像呼出ボタンであるボタン１１２が選択され決定された場合（Ｓ４１０“ＹＥＳ”）、再生制御部２４は、図１２（ｂ）に示すボタン１１２の指示情報１，２を順に処理してサムネイルメニュー画像７０の表示処理を行う（Ｓ４１２）。
【０１２７】
つまり、サムネイルメニュー画像呼出ボタンであるボタン１１２の指示情報１は、図１２に示すように、“サムネイルメニュー画像の表示”であるので、再生制御部２４は、記録媒体２１からサムネイルメニュー画像７０の画像データを読み出して、サムネイルメニュー画像７０を表示部２２３に表示し、“終了”の指示情報２を実行してサムネイルメニュー画像の表示処理を終了する。
【０１２８】
従って、装置利用者は、再生切替メニュー画像１１０にてサムネイルメニュー画像呼出ボタンであるボタン１１２を、十字方向キー・決定ボタン２６で選択し決定を入力することにより、再生切替メニュー画像が表示された場合でも、簡単にサムネイルメニュー画像７０を表示することができる。また表示されたサムネイルメニュー画像７０の動作は上述の通りで、第１〜第３グループの本編画像データのサムネイル画像７１ａ〜７３ｃ下のボタン７３ａ〜７３ｃが選択され決定されれば、図１７に示すように、本編画像データの再生動作が行われる一方、第１〜第３グループのダイジェスト画像データのサムネイル画像７１ｄ〜７３ｆ下のボタン７３ｄ〜７３ｆが選択され決定されれば、ダイジェスト画像データの再生動作が行われる。
【０１２９】
（３-２）キャンセルボタンであるボタン１１３が選択決定された場合
その一方、図１６に示すＳ２５０の処理により再生切替メニュー画像１１０が表示され、その再生切替メニュー画像１１０にて、装置利用者によりキャンセルボタンであるボタン１１３が選択され決定された場合（Ｓ４２０“ＹＥＳ”）、再生制御部２４は、図１２（ｃ）に示すボタン１１３の指示情報１〜３を読み出し順に処理する（Ｓ４２２，Ｓ４２４）。
【０１３０】
つまり、ボタン１１３の指示情報１は、図１２（ｃ）に示すように、“メニューメモリに再生切替を示す値を記録”であるので、まず再生制御部２４は、メニューメモリ２４ｃに再生切替メニューを示す値を記録する（Ｓ４２２）。次に、ボタン１１３の指示情報２は、“リジュームメモリに記録された位置から再生”であるので、再生制御部２４は、リジュームメモリ２４ａに記録した本編画像またはダイジェスト画像のリストファイルのファイル番号Ｎと、再生を停止した参照先本編画像データの番号とその再生停止位置の情報を読み出して、それらの情報をもとに、再生停止をした本編画像またはダイジェスト画像のリストファイルを再生停止位置から再生を開始する。そして次の”終了”の指示情報３で、再生制御部２４は、以上のキャンセル処理を終了する。
【０１３１】
従って、装置利用者は、再生切替メニュー画像１１０にてキャンセルボタンであるボタン１１３を十字方向キー・決定ボタン２６で選択し決定を入力することにより、メニュー表示入力により再生切替メニュー画像１１０表示される前に再生していた本編画像またはダイジェスト画像のリストファイルを再生停止位置から再生を簡単に再開することができる。
【０１３２】
（３-３）再生切替ボタンであるボタン１１１が選択決定された場合
また、表示部２３に表示された再生切替メニュー画像１１０にて、装置利用者により再生切替ボタンであるボタン１１１が十字方向キー・決定ボタン２６により選択され決定された場合（Ｓ４３０“ＹＥＳ”）、再生制御部２４は、図１２に示すボタン１１１の指示情報１〜１１を読み出し順に処理する（Ｓ４３５〜Ｓ４５６）。
【０１３３】
つまり、まず、再生切替ボタンであるボタン１１１の指示情報１は、図１２（ａ）に示すように“メニューメモリに再生切替メニューを示す値を記録”であるので、再生制御部２４は、メニューメモリ２４ｃに再生切替メニューを示す値を記録する（Ｓ４３５）。
【０１３４】
次にボタン１１１の指示情報２は、図１２（ａ）に示すように“再生画像選択メモリに本編リストファイルを示す値が記録されているときは次の指示情報３へ移行し、それ以外のときは次の指示情報３は無視”であるので、再生制御部２４は、まずは、再生画像選択メモリ２４ｂに本編リストファイルを示す値が記録されているか否かを判断する（Ｓ４４０）。これは、メニュー表示入力によって再生切替メニュー画像１１０が表示される前に、本編画像データを再生していたか、あるいはダイジェスト画像データを再生していたかを判断するためである。
【０１３５】
ここで、再生画像選択メモリ２４ｂに本編リストファイルを示す値が記録されている場合は（Ｓ４４０“ＹＥＳ”）、再生切替メニュー画像１１０を表示する前に本編画像データを再生していた場合であるので、再生制御部２４は、図１２に示すように、指示情報３に移行する。指示情報３の内容は、図１２（ａ）に示すように”指示情報８へ”という指示であるので、指示情報８へ移行する。
【０１３６】
指示情報８は、”再生画像選択メモリにダイジェスト画像ファイルを示す値を記録”であるので、再生制御部２４は、再生画像選択メモリ２４ｂに記録されていた本編リストファイルを示す値を削除、または上書きしてダイジェストリストファイルを示す値を記録する（Ｓ４４２）。
【０１３７】
次の指示情報９は、”リジュームメモリに記録されたリストファイル名の番号Ｎと再生停止位置情報とを取得”であるので、再生制御部２４は、再生切替メニュー画像１１０の表示前に再生していて再生を停止し、Ｓ３８０の処理によりリジュームメモリ２４ａに記録した本編リストファイルのリストファイル名の番号Ｎを取得する（Ｓ４４４）。
【０１３８】
そして、次の指示情報１０は、”取得番号Ｎに１００を足したリストファイル(Ｎ＋１００)を再生”であるので、再生制御部２４は、リジュームメモリ２４ａから取得した本編リストファイルの番号Ｎに１００をプラスしたダイジェストリストファイルであるリストファイル（Ｎ＋１００）の再生を行う（Ｓ４４６）。
【０１３９】
例えば、リジュームメモリ２４ａに記録された本編リストファイルのリストファイル名の番号Ｎとして“００１”を取得した場合、その番号Ｎの“００１”に１００をプラスしたリストファイルであるダイジェストリストファイルのリストファイル１０１から再生を行うことになる。
【０１４０】
そして次の指示情報１１は、”終了”であるので、これで終了する。
【０１４１】
このように、再生画像選択メモリ２４ｂに本編リストファイルが記録されていて、本編画像データの再生が行われている際に、メニュー表示ボタン２５からのメニュー表示入力により、図１１に示すような再生切替メニュー画像１１０が表示され、装置利用者により再生切替ボタンであるボタン１１１が選択され決定された場合、再生切替メニュー画像１１０を介して、再生中であった本編リストファイルと同じグループのダイジェストリストファイルの再生へ再生を切替えることができる。
【０１４２】
特に、本編画像データの再生が行われている際に、メニュー表示ボタン２５からのメニュー表示入力により、再生切替メニュー画像１１０の表示に切り替わる前に、図１７のＳ３８０の処理により、リジュームメモリ２４ａに本編リストファイルのファイル名の番号Ｎと、参照されている画像データの番号、その再生停止位置とを記録しておき、再生切替ボタンであるボタン１１１が選択され決定されることにより、ダイジェストリストファイルの再生へ切替える場合に、図１８のＳ４４４，Ｓ４４６の処理により、リジュームメモリ２４ａに記録されたファイル名の番号Ｎと、参照されている画像データの番号、その再生停止位置情報とを取得し、ダイジェストリストファイル（Ｎ＋１００）における、参照されている画像データの番号、その再生停止位置情報に対応する位置から再生を行う。そのため、再生停止をした本編リストファイルでの再生停止位置に対応したダイジェストリストファイル、すなわち本編画像データでの再生停止位置に対応したダイジェスト画像データの箇所から再生することができるので、装置利用者にとっては使い勝手が向上する。
【０１４３】
これに対し、Ｓ４４０の判断で、再生画像選択メモリ２４ｂにダイジェストリストファイルを示す値が記録されている場合は（Ｓ４４０“Ｎｏ”）、再生切替メニュー画像１１０に切り替わる前にダイジェスト画像データを再生していた場合であるので、再生制御部２４は、指示情報２の内容通り、指示情報３を無視して指示情報４へ移行する。
【０１４４】
つまり、指示情報４は、図１２（ａ）に示すように“再生画像選択メモリに本編リストファイルを示す値を記録”であるので、再生画像選択メモリ２４ｂに本編リストファイルを記録し、続いて指示情報５は“リジュームメモリに記録されたリストファイル名の番号Ｎを取得”であるので、Ｓ３８０の処理にてリジュームメモリ２４ａに記録したダイジェストリストファイルのリストファイル名の番号Ｎを取得し（Ｓ４５４）、続く指示情報６は“取得番号Ｎから１００を引いたリストファイル（Ｎ−１００）の再生”であるので、本編リストファイルであるリストファイル（Ｎ−１００）から再生を行う（Ｓ４５６）。
【０１４５】
例えば、リジュームメモリ２４ａに記録されたダイジェストリストファイルであるリストファイル名の番号Ｎとして“１０１”を取得した場合、その番号Ｎの“１０１”から１００を引いたリストファイルである本編リストファイルであるリストファイル００１を再生することになる。
【０１４６】
そして次の指示情報７は、図１２（ａ）に示すように“指示情報１１へ”であり、指示情報１１は”終了”であるので、これで終了する。
【０１４７】
このように、再生画像選択メモリ２４ｂにダイジェストリストファイルが記録されていて、ダイジェスト画像データの再生が行われている際に、メニュー表示入力がなされることにより、再生切替メニュー画像１１０が表示され、装置利用者により再生切替ボタンであるボタン１１１が選択され決定された場合、再生切替メニュー画面１１０を介して、ダイジェストリストファイルの再生から、再生していたダイジェスト画像と同じグループの本編リストファイルの再生へ切替えることができる。すなわちダイジェスト画像の再生で、本編画像の概要を把握し、所望の画像データを見つけたところで、その再生していたダイジェスト画像に対応するグループの本編画像を再生することができる。また本編画像から再度ダイジェスト画像に戻って再生することもできることになる。
【０１４８】
特に、ダイジェスト画像データの再生が行われている際に、メニュー表示ボタン２５からのメニュー表示入力により、再生切替メニュー画像１１０の表示に切り替わる前に、図１７のＳ３８０の処理によりリジュームメモリ２４ａにダイジェストリストファイルであるリストファイル名のファイル番号Ｎと、参照されている画像データの番号、その再生停止位置とを記録しておき、再生切替ボタン１１１が選択され決定されることにより、本編リストファイルの再生へ再生を切替える場合に、図１８のＳ４５４，Ｓ４５６の処理により、リジュームメモリ２４ａに記録されたダイジェストリストファイルのリストファイル名と、再生停止した本編画像データの番号、その本編画像データ上での再生停止位置情報とを取得し、リストファイル名の番号が（Ｎ−１００）のリストファイルの、再生停止位置情報に対応した位置から再生を行う。そのため、再生停止をしたダイジェストリストファイルでの再生停止位置に対応した本編リストファイル、すなわち再生停止をしたダイジェスト画像データでの再生停止位置に対応した本編画像データの箇所から再生することができる。
【０１４９】
以上のように、再生切替メニュー画像１１０にてキャンセルボタンであるボタン１１３が選択され決定され、Ｓ４２２，Ｓ４２４の処理により、リジュームメモリ２４ｃに記録したファイル番号Ｎの再生停止位置から再生から本編画像データまたはダイジェスト画像データを再生する場合、および再生切替メニュー画像１１０にて再生切替ボタン１１２が選択され決定され、Ｓ４４２〜４４６またはＳ４５２〜４５６の処理により、リジュームメモリに記録されたファイル名の番号Ｎと、参照されている画像データの番号、その再生停止位置とを取得し、その番号Ｎに１００をプラスしたり、１００をマイナスしてダイジェスト画像データまたは本編画像データの再生に切り替えた場合は、共に図１９のＳ４６０の処理に続く。
【０１５０】
図１９の処理は、図１７に示すＳ３４０〜３８０の処理と同じである。つまり、再生制御部２４は、本編画像データまたはダイジェスト画像データの再生途中で、メニュー表示入力の有無を判断し（Ｓ４６０”Ｎｏ”）、メニュー表示入力がない場合には（Ｓ４６０”Ｎｏ”）、本編リストファイルまたはダイジェストリストファイルが参照する本編画像データまたはダイジェスト画像データを終端まで再生し（Ｓ４７０）、終端まで再生が終了すると、再生制御部２４は、”終了”の指示情報３（本編画像データの場合）または指示情報４（ダイジェスト画像データの場合）を実行して、本編画像データまたはダイジェスト画像データの再生を停止する（Ｓ４８０）。
【０１５１】
これに対し、本編画像データまたはダイジェスト画像データの再生中に、再生制御部２４に対しメニュー表示入力があると（Ｓ４６０”Ｙｅｓ”）、再生制御部２４は、現在再生している本編画像データまたはダイジェスト画像データの再生を停止する（Ｓ４６５）。
【０１５２】
次に、再生制御部２４は、再生中の本編画像データまたはダイジェスト画像データの再生停止リストファイルを示すリストファイル名の番号Ｎと、参照されている画像データの番号、その画像データ先頭からの経過時間やフレーム数、ＧＯＰ数、バイト数等のリストファイル上での再生停止位置を示す再生停止位置情報とをリジュームメモリ２４ａに記録し（Ｓ４７０）、次いで図１６の処理に戻る。
【０１５３】
ここで、図１９に示す処理が終了して図１６に戻る場合、すなわち再生切り替えメニュー画像１１０からキャンセルボタンであるボタン１１３を選択し決定した場合、あるいは再生切替ボタン１１２を選択し決定して画像データの再生を行ない、その後メニュー表示入力があった場合は、図１８のＳ４２２またはＳ４３５の処理により、メニューメモリ２４ｃに再生切り替えメニューを示す値を記録する。
【０１５４】
そのため、図１９に示す処理が終了して図１６に戻る場合は、図１６のＳ２３０の処理により“ＹＥＳ”と判断され、必ず再生切替メニュー画像１１０が表示される。
【０１５５】
このように、本実施形態によれば、再生切替メニュー画像１１０からキャンセルボタンであるボタン１１３を選択し決定したり、あるいは再生切替ボタンであるボタン１１１を選択し決定したりして画像データの再生を行ない、その後メニュー表示入力がなされた場合は、必ず再生切替メニュー画像１１０に戻るので、装置利用者はその再生切替メニュー画像１１０にて、再生切替ボタンであるボタン１１１を選択することにより、本編画像データとそのダイジェスト画像データとの間で双方向の再生切替えを容易に実行することできる。
【０１５６】
また、本実施形態では、再生切替メニュー画像１１０にて再生切替ボタンであるボタン１１１を選択した場合、再生切替メニュー画像１１０の表示前に再生をしていて、再生停止をした本編画像データまたはダイジェスト画像データの再生停止位置に基づいて本編画像データからダイジェスト画像データへ、あるいはダイジェスト画像データから本編画像データへ再生を切り替えているので、再生停止をした本編画像データまたはダイジェスト画像データの再生停止位置に基づいて本編画像データの再生中にダイジェスト画像データへ再生を切替えたり、戻ったりすることができ、使い勝って良く本編画像データとそのダイジェスト画像データとの間の双方向の再生切替えを実行することができる。
【０１５７】
このように２つの画像データをその再生経過時間をもとに対応するグループ間で、再生切替えができるので、マルチアングルの切替えや、映画などで同じストーリーを異なる登場人物を主体とした２つの画像を、再生経過時間をもとに対応するグループ間で再生を切り替えて視聴することができる。
【０１５８】
なお、以上の説明では、図１および図１５に示すように、画像データ記録装置と、画像データ再生装置とに分けて説明したが、ビデオカメラ等のように動画および静止画の画像データの記録および再生を行う画像データ記録再生装置の場合、図２０に示すように、図１に示す画像データ記録装置と図１５に示す画像データ再生装置とを一装置内に有するようにしても勿論よい。
【０１５９】
図２０は、図１に示す画像データ記録装置と図１５に示す画像データ再生装置とを一装置内に有する画像データ記録再生装置の構成例を示すブロック図である。
【０１６０】
つまり、この画像データ記録再生装置では、記録および再生に同一の記録媒体１８を使用するだけの違いで、その他の構成は、図１に示す画像データ記録装置と、図１５に示す画像データ再生装置と同じである。この図２０に示す画像データ記録再生装置でも、上述の図１に示す画像データ記録装置や、図１５に示す画像データ再生装置と同様の効果が得られる。
【０１６１】
実施形態２．
次に、本発明に係る画像データ再生装置の実施形態２について説明する。なお、画像データ再生装置の実施形態２の構成等は、図１５に示す実施形態１のものと同じで、再生動作のみが異なるので、図１５に示す実施形態１の構成図等を参照して、実施形態２の動作を説明する。
【０１６２】
図２１のフローチャートをもとに実施形態２の画像データ再生装置の再生動作について説明する。
【０１６３】
まず、実施形態２画像データ再生装置２０は装置利用者より再生操作入力部２７を介して記録媒体２１の再生開始が入力されると再生開始処理を実行する（Ｓ５００）。このとき、再生開始の入力は再生操作入力部２７に設けられた再生開始を実行するためのボタンを押し下げることによる入力であってもよいし、表示部２３に表示された再生開始を表すボタン画像を、十字方向キー・決定ボタン２５により選択し決定を入力することで、再生開始入力としてもよい。また、画像データ再生装置２０の電源投入時や、記録媒体２１を画像データ再生装置２０に取り付けた時や挿入した時、再生開始の入力が無くとも再生開始処理を実行する構成としてもよい。
【０１６４】
再生開始処理が入力されると、再生制御部２４は再生部２２を介して記録媒体２１から初期再生情報を取得し、その初期再生情報の指示情報に従って再生制御を行う（Ｓ５０１）。初期再生情報は上述したように図１４に示した指示情報から構成されており、これに応じた再生制御を再生制御部２４は行う。
【０１６５】
すなわち、指示情報１は“メニューメモリ２４ｃに“再生切り替えメニューを示す値”が記録されているとき、次の指示情報へ移動し、それ以外のときは次の指示情報を無視”であり、最初はメニューメモリ２４ｃには“再生切り替えメニューを示す値”も“サムネイルメニューを示す値”でもない初期値が記録されているため、次の指示情報である指示情報２を無視し、指示情報３を実行する。
【０１６６】
指示情報３は“サムネイルメニューを再生・表示”であり、再生制御部２４は、再生部２２を介して記録媒体２１からサムネイルメニュー画像７０のメニュー画像データを読み出して再生し、表示部２３に表示する。（Ｓ５０２）
【０１６７】
次の指示情報４は“指示情報6へ”の移動を表しているので、最後に指示情報６の“終了”により、この初期再生情報にもとづく再生制御部２４の再生制御処理は終了する。このとき、再生され表示部２３に表示されるサムネイルメニュー画像７０は、次の再生制御部２４からの再生制御が行われるまで、表示部２３にて表示したままであるとよい。
【０１６８】
初期再生情報にもとづきサムネイルメニュー画像７０が表示されると、画像データ再生装置の利用者は表示部２３に表示された７１ａ〜ｆのサムネイル画像から、所望の本編画像またはダイジェスト画像を探し、再生する本編またはダイジェスト画像のサムネイル画像下に表示されたボタン７３ａ〜ｆのいずれかを、十字キー方向キー・決定ボタン２６によって選択し決定することができる。ここで十字方向キーによる入力は、制御情報内の方向情報として記録された各ボタンの上、下、左、右ボタンに格納された値に従うものとし、上述した通り、例えば図７のボタン７３ａが選択されているとき十字方向キーから右方向に入力があったとき、選択ボタンはボタン７３ｂとなり、次に十字方向キーから下方向に入力があれば、選択ボタンはボタン７３ｅとなる。ここで決定ボタンから決定の入力があるとボタン７３ｅの指示情報１〜４が順に再生制御部２４にて処理される。またサムネイルメニュー画像データの制御情報内にサムネイルメニューを表示したとき最初に選択しておくボタンを指定する情報があるときには、サムネイルメニュー画像表示時にはその指定されたボタンが選択された状態となるとよい。
【０１６９】
このようにして、サムネイルメニュー画像より第１グループの本編リストファイルのサムネイル画像７１ａから第３グループの本編リストファイルのサムネイル画像７１ｃ下に表示されたボタン７３ａからボタン７３ｃのいずれかを十字方向キー・決定ボタン２６から選択し決定することで、本編画像データが再生される。（Ｓ５０３）すなわち再生制御部２４に十字方向キー・決定ボタン２６よりボタン７３ａを選択し決定する入力があると、再生制御部２４ではサムネイルメニュー画像データの制御情報のボタン７３ａの指示情報図８（ａ）を処理する。
【０１７０】
まず指示情報１は“メニューメモリ２４ｃに“サムネイルメニューを示す値”を記録”であり、再生制御部２４はメニューメモリ２４ｃに“サムネイルメニュー”示す値を記録する。また、上述したように指示情報はビット列で表すことができその場合には、メニューメモリ２４ｃはサムネイルメニューを示す“００００００１０”の８ビットを記録するようにすればよい。またこれ以降、説明の便宜上、指示情報を意味を表す文字のまま説明するが、同様にビット列として示した例に従った値をメモリに記録したり取得したりするとよい。
【０１７１】
次に指示情報２は“本編リストファイル“リストファイル００１”を再生”であり、再生制御部２４は再生部２２を介してリストファイル００１を読み出して再生する。リストファイル001の第１グループの本編リストファイルには図３に示したように本編画像データ１から５までが含まれ、図４（ａ）に示したようにファイル名とその再生区間とが記録されており、画像データ１から画像データ５までの各画像データの先頭から終端までが順に再生される。
【０１７２】
ここで、本編画像データ１から５までのいずれかを再生している途中で、再生制御部２４にメニュー表示ボタン２５よりメニュー表示入力があると（Ｓ５０４“Ｙｅｓ”）、画像データ再生装置２０の再生制御部２４は、再生中の画像データの再生を停止し、その停止位置を表すための、リストファイル名、画像データの番号、画像データ先頭からの経過時間やフレーム数、ＧＯＰ数、バイト数等、ファイル上での位置を示す情報をリジュームメモリ２４ａに記録し（Ｓ５０５）、初期再生情報にもとづき再生制御を行うものとする（Ｓ５０６）。
【０１７３】
すなわち再生制御部２４は少なくともリストファイル名“リストファイル００１”をリジュームメモリ２４ａに記録し、初期再生情報の指示情報を処理すると、指示情報１は“メニューメモリ２４ｃに“再生切り替えメニューを示す値”が記録されているとき、次の指示情報へ移動”であり、上述したようにボタン７３ａの指示情報１でメニューメモリ２４ｃには“サムネイルメニューを示す値”が記録されており、次の指示情報２は処理されず、その次の指示情報３の“サムネイルメニュー画像を再生・表示”に従って、再生制御部２４は再生部２２を介してサムネイルメニューのメニュー画像データを記録媒体２１から読み出し再生して、表示部２３にサムネイルメニュー画像７０が表示される。さらに指示情報４は“指示情報６へ”であり、指示情報６の“終了”で、再生制御部２４での初期再生情報の処理が終了する。
【０１７４】
また本編リストファイルの再生途中でメニュー表示ボタン２５からのメニュー表示入力が無かった場合には（Ｓ５０４“Ｎｏ”）、リストファイル００１が終端まで再生されると（Ｓ５０７）、次の指示情報３の“終了”が再生制御部２４で処理され再生が停止する（Ｓ５０８）。このとき再生制御部２４は、再生停止でブルーバックの表示、または初期再生情報に従う、または再生が停止したことを表示するなどの制御をするとよい。
【０１７５】
尚、本実施例では、第１グループから第３グループのいずれの本編リストファイルでも対応するリストファイルを再生する指示情報である指示情報２の前に、それぞれ指示情報１としてメニューメモリ２４ｃに“サムネイルメニューを示す値”を記録することにより、本編リストファイルの再生途中でメニュー表示入力があると、サムネイルメニュー画像７０が表示される構成としているが、再生前にメニューメモリ２４ｃに“再生切り替えメニューを示す値”を記録すれば、本編リストファイルの再生途中でのメニュー表示入力で、再生切り替えメニュー画像１１０を表示することもできる。また、ボタン７３ａの指示情報２の次の指示情報を“本編リストファイル“リストファイル００２”を再生”とし、その次の指示情報を“本編リストファイル“リストファイル００３”を再生”とし、最後の指示情報を“終了”と設定すれば、ボタン７３ａを選択し決定することで、記録媒体２１に記録された全ての本編画像データである本編画像データ１〜１０を順に再生することが可能となる。
【０１７６】
次に、図２１のＳ５０２でサムネイルメニュー画像７０が表示部２３に表示されたとき、本編リストファイルが再生されなかった場合、すなわちダイジェストリストファイルを選択し決定した場合の画像データ再生装置の動作について図２２のフローチャートに示す。
【０１７７】
まず、記録媒体２１の再生開始入力によって初期再生情報が再生制御部２４にて処理され、サムネイルメニュー画像が表示されるＳ５１０〜５０２までは同じ処理となるので説明を省略する。
【０１７８】
ここで上述したサムネイルメニュー画像７０上での本編リストファイルの選択、決定と同様に、十字方向キー・決定ボタン２６からの入力により、第１グループから第３グループのいずれかのダイジェストリストファイルのサムネイル画像７１ｄ〜ｆ下に表示されたボタン７３ｄ〜ｆを選択し決定することでダイジェストリストファイルを再生することができる（Ｓ５１０）。
【０１７９】
すなわち、第１グループのダイジェストリストファイルのサムネイル画像７１ｄ下のボタン７３ｄを選択し決定する入力が、十字方向キー・決定ボタン２６より再生制御部２４へあると、再生制御部２４は図８（ｄ）のボタン７３ｄの指示情報を１から順に処理する。
【０１８０】
まず、指示情報１は“メニューメモリ２４ｃに“再生切り替えメニューを示す値”を記録”であり、再生制御部２４はメニューメモリ２４ｃに“再生切り替えメニューを示す値”を記録する。次に指示情報２は“再生画像選択メモリ２４ｂに“ダイジェストリストファイルを示す値”を記録”であり、再生制御部２４は再生画像選択メモリ２４ｂに“ダイジェストリストファイルを示す値”を記録する。次の指示情報３は“ダイジェストリストファイル“リストファイル１０１を再生”であり、再生制御部２４は再生部２２を介してリストファイル１０１を読み出して再生し、表示部２３に第１グループのダイジェスト画像を表示する。
【０１８１】
第１グループのダイジェストリストファイルのリストファイル１０１は、図６（ａ）に示したように、第１グループの本編リストファイルで再生される本編画像データ１から本編画像データ５の本編画像データから画像の一部区間を連続して再生するダイジェスト画像で、図４（ｂ）に示したようにファイル名とその再生区間とが記録されている。
【０１８２】
ここで第１グループのダイジェストリストファイルを再生している途中で、再生制御部２４にメニュー表示ボタン２５よりメニュー表示入力があると（Ｓ５１１“Ｙｅｓ”）、画像データ再生装置の再生制御部２４は、本編リストファイルの再生時と同様に、再生中の画像データの再生を停止し、その停止位置を表すための、リストファイル名、画像データの番号、画像データ先頭からの経過時間やフレーム数、ＧＯＰ数、バイト数等、ファイル上での位置を示す情報をリジュームメモリ２４ａに記録する。そして次に初期再生情報にもとづき再生制御を行うものとする。よって再生制御部２４は少なくともリストファイル名“リストファイル１０１”をリジュームメモリ２４ａに記録し、初期再生情報の指示情報の処理を行う。図１４に示したように初期再生情報の指示情報１は“メニューメモリ２４ｃに“再生切り替えメニューを示す値”が記録されているとき、次の指示情報へ移動”であり、上述したようにボタン７３ｄの指示情報１でメニューメモリ２４ｃには“再生切り替えメニューを示す値”が記録されており、初期再生情報の次の指示情報２の“指示情報5へ”を処理する。そして指示情報５は“再生切り替えメニュー画像を再生・表示”であり、再生制御部２４は再生部２２を介して再生切り替えメニューのメニュー画像データを記録媒体２１から読み出し再生して、表示部２３に再生切り替えメニュー画像１１０が表示される。（Ｓ５１２）そして次の指示情報６の“終了”で、再生制御部２４での初期再生情報の処理が終了する。
【０１８３】
ここで、表示される再生切り替えメニュー１１０において、十字方向キー・決定ボタンからの入力によりキャンセルボタンであるボタン１１３を選択し決定すると（Ｓ５１３“Ｙｅｓ”）、再生制御部２４は再生切り替えメニュー画像データの制御情報のボタン１１３の指示情報を１から順に処理する（Ｓ５１４）。
【０１８４】
ボタン３の指示情報１は“メニューメモリ２４ｃに“再生切り替えメニューを示す値”を記録”であり、再生制御部２４はメニューメモリ２４ｃに“再生切り替えメニューを示す値”を記録する。次に指示情報２は“リジュームメモリ２４ａに記録された位置から再生”であり、再生制御部２４はリジュームメモリ２４ａから再生停止した位置情報として、プレイリストファイルのファイル名、そのファイルから参照されるどの本編画像データを再生していたのか、またその本編画像データ上での停止位置を取得し、取得されたプレイリストファイル名のプレイリストを、再生部２２を介して記録媒体２１より読み出し、同じく取得したそのプレイリストファイルが参照する停止した画像データとその画像データ上での位置から、ダイジェストリストファイルの続きを再生する。このようにして、再生切替メニュー画像１１０が表示された後、装置利用者はキャンセルボタンであるボタン１１３を選択し決定することで、ダイジェスト画像データを再生切替メニュー画像１１０が表示される前に停止した続きから表示することができる。尚、再生切り替えメニュー画像上での十字方向キーの入力による選択ボタンの移動は、サムネイルメニューと同じとする。
【０１８５】
また、表示された再生切り替えメニューにおいて、十字方向キー・決定ボタン２６からの入力によりサムネイルメニュー呼出ボタンであるボタン１１２を選択し決定すると（Ｓ５１５“Ｙｅｓ”）、再生制御部２４は再生切り替えメニューの制御情報のボタン１１２の指示情報を１から順に処理する。ボタン１１２の指示情報１は“サムネイルメニュー画像を再生”であり、再生制御部２４は再生部２２を介して記録媒体２１からサムネイルメニュー画像のメニュー画像データを読み出して再生し、表示部２３にはサムネイルメニューが表示される（Ｓ５１６）。
【０１８６】
また、表示部２３に表示される再生切替メニュー１１０において、十字方向キー・決定ボタン２６からの入力により再生切り替えボタンであるボタン１１１を選択し決定すると、再生制御部２４は再生切替メニュー画像データの制御情報のボタン１１１の指示情報を１から順に処理する。（Ｓ５１７“Ｙｅｓ”、Ｓ５１８）
【０１８７】
ボタン１１１の指示情報１は“メニューメモリ２４ｃに“再生切替メニューを示す値”を記録”であり、再生制御部２４はメニューメモリ２４ｃに“再生切替メニューを示す値”を記録する。次の指示情報２は“再生画像選択メモリ２４ｂに“本編リストファイルを示す”が記録されているとき、次の指示情報へ移動”であるが、ここでサムネイルメニュー画像のボタン７３ｄを選択し決定してリストファイル１０１を再生したときは、再生画像選択メモリ２４ｂには“ダイジェストリストファイルを示す値”が記録されているため、次の指示情報３は無視して、指示情報４へ移動する。指示情報４は“再生画像選択メモリ２４ｂに“本編リストファイルを示す値”を記録であり、再生制御部２４は再生画像選択メモリ２４ｂに記録されていた“ダイジェストリストファイルを示す値”を破棄し“本編リストファイルを示す値”を記録する。
【０１８８】
次に指示情報５は“リジュームメモリ２４ａに記録されたリストファイル名の番号Ｎを取得”であり、再生制御部２４はリジュームメモリ２４ａから記録されているリストファイル名の番号Ｎ＝１０１を取得する。次の指示情報６ は“取得番号Ｎから１００を引いた“リストファイル（Ｎ−１００）”を再生”であり、再生制御部２４は先に取得した１０１−１００よりリストファイル００１を、再生部２２を介して読み出して再生し、表示部２３にはリストファイル００１すなわち第１グループの本編リストファイルが再生される。
【０１８９】
ここで第１グループの本編リストファイルの終端まで再生すると、次の指示情報7の「指示情報11へ」で、指示情報11の「終了」により再生停止となる。また同様にダイジェストリストファイルの再生途中でメニュー表示ボタン２５からのメニュー表示入力が無かった場合には、リストファイル１０１が終端まで再生されると、次の指示情報４の“終了”が再生制御部２４で処理され再生が停止する（Ｓ５１９、Ｓ５２０、Ｓ５１７“Ｎｏ”）。このとき再生停止後の処理は本編リストファイルの再生停止と同じ処理とするとよい。
【０１９０】
また、上述した本編画像リストファイルを再生するボタン７３ａと同様に、ボタン７３ｄの指示情報３の次の指示情報を“ダイジェストリストファイル“リストファイル１０２”を再生”とし、その次の指示情報を“ダイジェストリストファイル“リストファイル１０３”を再生”とし、最後の指示情報を“終了”と設定すれば、ボタン７３ｄを選択し決定することで、記録媒体２１に記録された全てのダイジェスト画像データを再生することができる。この場合、ダイジェスト画像の再生途中でメニュー表示ボタン２５よりメニュー表示入力があると、リストファイル１０１の再生時と同様に、再生中のダイジェストリストファイルのグループに対応する本編リストファイルに再生を切り替えることができる。
【０１９１】
また、再生切り替えボタンであるボタン１１１によってダイジェストリストファイルから同じグループの本編リストファイルに再生が切り替わったとき、その再生途中でメニュー表示ボタン２５からメニュー表示入力があると、再生制御部２４は、上で述べたリストファイル再生時と同様に、再生中の画像データの再生を停止し、その停止位置を表すための情報をリジュームメモリ２４ａに記録し、初期再生情報にもとづき再生制御を行う。
【０１９２】
すなわち、この実施例では再生制御部２４は少なくともリストファイル名“リストファイル００１”をリジュームメモリ２４ａに記録し、初期再生情報の指示情報の処理を行う。その指示情報１は“メニューメモリ２４ｃに“再生切替メニューを示す値”が記録されているとき、次の指示情報へ移動”であり、上述したように再生切替メニューの再生切り替えボタンであるボタン１１１の指示情報１によりメニューメモリ２４ｃには“再生切替メニューを示す値”が記録されているので、初期再生情報処理は次の指示情報２の“指示情報５へ”移動する。その指示情報５は“再生切替メニュー画像を再生・表示”であり、再生制御部２４は再生部２２を介して再生切替メニュー画像１１０のメニュー画像データを記録媒体２１から読み出し再生して、表示部２３に再生切替メニュー画像１１０が表示される。（Ｓ５１２）
【０１９３】
そして次の指示情報６の“終了”で、再生制御部２４での初期再生情報の処理が終了する。
【０１９４】
以上のように、サムネイルメニュー画像７０からボタン画像７３ａ〜ｃのいずれかを十字方向キー・決定ボタン２６により選択し決定することにより、直接本編リストファイルを選択して本編リストファイルを再生した場合、その再生中にメニュー表示を入力があると、サムネイルメニュー画像７０が表示されるが、ダイジェストリストファイルの再生から再生切替メニュー画像１１０の再生切替ボタンであるボタン１１１を十字方向キー・決定ボタンで選択し決定することで再生を切り替えて本編リストファイルを再生した場合には、その再生中にメニュー表示があると、再生切替メニュー画像１１０が表示されることになる。
【０１９５】
またここで、表示された再生切替メニュー画像１１０のサムネイルメニュー呼出ボタンであるボタン１１２、またはキャンセルボタンであるボタン１１３を十字方向キー・決定ボタン２６により選択し決定するときの、再生制御部２４の処理手順は、上で述べたダイジェストリストファイルの再生時と同じとなるので省略する。
【０１９６】
一方、再生切り替えボタンであるボタン１１１を十字方向キー・決定ボタン２６により選択して決定したときは、再生制御部２４は再生切替メニュー画像データのボタン１１１の指示情報を１から順に処理する（Ｓ５１８）。
【０１９７】
まずボタン１１１の指示情報1は“メニューメモリ２４ｃに“再生切替メニューを示す値”を記録”であり、再生制御部２４はメニューメモリ２４ｃに“再生切替メニューを示す値”を記録する。次に指示情報２は“再生画像選択メモリ２４ｂに“本編リストファイルを示す値”が記録されているとき、次の指示情報へ移動”であり、ここで、上述したようにダイジェストリストファイルのリストファイル１０１から本編リストファイル００１へ再生切替メニュー画像１１０の再生切り替えボタンであるボタン１１１によって再生を切り替えたとき、ボタン１１１の指示情報４で再生画像選択メモリ２４ｂには“本編リストファイルを示す値”を記録しているので、次の指示情報３の“指示情報８へ”を処理し指示情報８へ移動する。指示情報８は“再生画像選択メモリ２４ｂに“ダイジェストファイルを示す値”を記録”であり、再生制御部２４は再生画像選択メモリ２４ｂに記録されていた“本編リストファイルを示す値”を破棄し“ダイジェストリストファイルを示す値”を記録する。
【０１９８】
次に指示情報９は“リジュームメモリ２４ａに記録されたリストファイル名の番号Ｎを取得”であり、再生制御部２４はリジュームメモリ２４ａから記録されているリストファイル名の番号Ｎ＝００１を取得する。次の指示情報１０ は“取得番号Ｎに１００を足した“リストファイル（Ｎ＋１００）”を再生”であり、再生制御部２４は先に取得した００１＋１００よりリストファイル１０１を、再生部２２を介して読み出して再生し、表示部２３にはリストファイル１０１すなわち第１グループのダイジェストリストファイルが再生される。ここで第１グループのダイジェストリストファイルの終端まで再生すると、次の指示情報１１の“終了”により再生停止となる。
【０１９９】
このように、サムネイルメニュー画像７０からボタン画像７３ｄ〜ｆのいずれかを十字方向キー・決定ボタン２６により選択し決定することで、そのボタンの指示情報が再生制御部２４により指定されたダイジェストリストファイルの再生が開始される。その再生途中でメニュー表示ボタン２５よりメニュー表示入力がなされると、再生していたダイジェストリストファイルの位置を、リストファイル名と、リストファイルが参照している本編画像データの番号と、そしてその本編画像データ上での停止位置を表す情報とを記録した後、再生切替メニュー画像を表示部２６に表示し、再生切り替えボタンであるボタン１１１を選択し決定することで、ダイジェスト画像を停止位置のダイジェスト画像と同じグループの本編リストファイルに再生を切り替えることができる。
【０２００】
さらにこのような再生切り替えによって再生を開始した本編リストファイルを再生している途中で、上述のダイジェストリストファイルの再生時と同じように再生切替メニュー画像で再生切り替えボタンであるボタン１１１を十字方向キー・決定ボタン２６により選択し決定すると、再生していた本編リストファイルと同じグループのダイジェストリストファイルに再生を切り替えることができる。
【０２０１】
尚、上記の実施形態ではリストファイル名の番号だけを用いて再生を切り替える例を示したが、これをリストファイル名の番号に、さらに再生している本編画像データの番号も併せて取得し、リストファイル名の番号については上述したように１００を足すまたは１００を引いて処理し、本編画像データの番号はそのまま同じ番号の画像データから再生するようにすれば、グループ単位での再生切り替えだけでなく、画像データ単位での再生切り替えを行うことも可能で、グループ内に多くの画像データが含まれる場合には、再生切り替え時に見ていたダイジェスト画像に時系列的に近い本編画像から再生したり、その反対に再生切り替え時に見ていた本編画像に時系列的に近いダイジェスト画像から再生したりすることができる。
【０２０２】
なお、本実施形態に示す指示情報は一例であり、その内容に限定されるものではない。例えば、画像データ再生装置２０内に再生制御部２４が利用できる複数のメモリを設けて、各メモリに番号を付してあるとき、コマンド値＝００１０の“変数情報の値のリストファイルを再生”の代わりに“変数情報の値の番号のメモリに記録された値のリストファイルを再生”とすれば、再生切替メニュー画像１１０の再生切替ボタン１１１の指示情報で使用した、“取得番号Ｎから１００を引いたリストファイル(Ｎ−１００)を再生”または“取得番号Ｎに１００を足したリストファイル(Ｎ＋１００)を再生”は不要となる。すなわち、再生切替メニュー画面１１０の再生切替ボタンであるボタン１１１の指示情報において、リジュームメモリ２４ａから取得したリストファイル名の番号に１００をプラス、もしくは１００を引いた値を“変数情報の値の番号のメモリに取得した値を記録”というコマンドを使って記録するだけとして、初期再生情報でその記録された値の再生、すなわち“変数情報の値の番号のメモリに記録された値のリストファイルを再生”コマンドを設定して再生するようにしてもよい。ように、他の指示情報やメモリを設けたり、ボタンに対応する指示情報と、初期再生情報の指示情報を組み合わせることでも、再生切替メニュー画像１１０による再生切替を実現できる。
【０２０３】
また、上記実施形態１，２の説明では、図１５や図２０に示すように、再生制御部２４のメモリをリジュームメモリ２４ａ、再生画像選択メモリ２４ｂ、メニューメモリ２４ｃと分けて説明したが、これは便宜上のためであり、これらのメモリを１つのメモリで構成しても勿論良いし、再生制御部２４の外にあっても勿論よい。
【０２０４】
また、上記実施形態１，２では、第１の画像データとして本編画像データ、第２の画像データとしてダイジェスト画像データを一例に説明したが、本発明では、これに限らず、第１の画像データとして本編画像データ、第２の画像データとしてその本編画像データに関連するコマーシャル画像データ等の画像データであったり、さらには、第１の画像データと第２の画像データとの双方とも関連するダイジェスト画像でも勿論よい。
【０２０５】
また、上記実施形態１，２の説明では、図１や図１５、図２０に示すように画像データ記録装置、画像データ再生装置、画像データ記録再生装置を、機能ブロックよりハードウエア的に構成して説明したが、本発明では、これに限らず、図１や図１５、図２０に示す装置を、ＣＰＵがプログラムにより実行するようにソフトウエア的に構成するようにしても勿論よい。
【図面の簡単な説明】
【０２０６】
【図１】本実施形態の画像データ記録装置の構成例を示すブロック図。
【図２】本実施形態の画像データ記録装置における記録手順例を示すフローチャート。
【図３】本実施形態の画像データ記録装置のグループ生成部での本編画像データのグループ分け例を示す説明図。
【図４】（ａ），（ｂ）、それぞれ、本実施形態における本編リストファイル、ダイジェストリストファイルのデータ構造例を示す説明図。
【図５】本実施形態の記録媒体に記録されたデータのディレクトリ構造例を示す説明図。
【図６】（ａ）〜（ｃ）、それぞれ、本実施形態における本編リストファイルからダイジェストリストファイルを生成する際の本編画像データからのカット抽出例を示す説明図。
【図７】本実施形態のメニュー画像データ管理部で生成されるサムネイルメニュー画面例を示す説明図。
【図８】（ａ）〜（ｆ）、それぞれ、図７に示すサムネイルメニュー画面における各ボタンの指示情報の内容例を示す説明図。
【図９】図８に示す指示情報内の指示情報のコマンド情報のデータ構造例を示す説明図。
【図１０】図９に示すデータ構造例で示した場合のサムネイルメニュー画面における各ボタンのコマンド例を示す説明図。
【図１１】本実施形態のメニュー画像データ管理部が生成する再生切替メニュー画面例を示す説明図。
【図１２】（ａ）〜（ｃ）、それぞれ、図１１に示す再生切替メニュー画面における各ボタンの指示情報の内容例を示す説明図。
【図１３】図９に示すデータ構造例で示した場合の生切替メニュー画面における各ボタンのコマンド例を示す説明図。
【図１４】本実施形態の初期再生情報生成部が生成する初期再生情報の指示情報の一例を示す説明図。
【図１５】本実施形態の画像データ再生装置の構成例を示すブロック図。
【図１６】本実施形態の画像データ再生装置における初期再生処理時の動作例を示すフローチャート。
【図１７】本実施形態の画像データ再生装置におけるサムネイルメニュー画面からの本編／ダイジェスト画像データの再生手順例を示すフローチャート。
【図１８】本実施形態の画像データ再生装置における再生切替メニュー画面からの本編／ダイジェスト画像データの再生手順例を示すフローチャート。
【図１９】図１８に続く本実施形態の画像データ再生装置２０でのダイジェストリストファイルの再生手順を示すフローチャート。
【図２０】本実施形態の画像データ記録再生装置の構成例を示すブロック図。
【図２１】実施形態２の画像データ再生装置の再生動作例を示すフローチャート。
【図２２】図２１のＳ５０２でサムネイルメニュー画像が表示部に表示され、ダイジェストリストファイルを選択し決定した場合の実施形態２の画像データ再生装置の動作例を示すフローチャート。
【符号の説明】
【０２０７】
１０  画像データ記録装置
１１  画像データ入力部
１２  時計
１３  グループ生成部
１４  ダイジェスト生成部
１５  メニュー画像データ管理部
１６  初期再生情報生成部
１７，２１  記録部
２０  画像データ再生装置
２２  再生部
２３  表示部
２４  再生制御部
２５  メニュー表示ボタン
２６  十字方向・決定ボタン
２７  再生操作入力部
３０  画像データ記録再生装置
７０  サムネイルメニュー画面（画像選択メニュー画面）
７３ａ〜７３ｆ  画像選択ボタン
１１０  再生切替メニュー画面
１１１  再生切替ボタン
１１２  サムネイルメニュー画面呼出ボタン（画像選択メニュー画面呼出ボタン）
１１３  キャンセルボタン
【図１】
0004911008.tif 000002
【図２】
0004911008.tif 000003
【図３】
0004911008.tif 000004
【図４】
0004911008.tif 000005
【図５】
0004911008.tif 000006
【図６】
0004911008.tif 000007
【図７】
0004911008.tif 000008
【図８】
0004911008.tif 000009
【図９】
0004911008.tif 000010
【図１０】
0004911008.tif 000011
【図１１】
0004911008.tif 000012
【図１２】
0004911008.tif 000013
【図１３】
0004911008.tif 000014
【図１４】
0004911008.tif 000015
【図１５】
0004911008.tif 000016
【図１６】
0004911008.tif 000017
【図１７】
0004911008.tif 000018
【図１８】
0004911008.tif 000019
【図１９】
0004911008.tif 000020
【図２０】
0004911008.tif 000021
【図２１】
0004911008.tif 000022
【図２２】
0004911008.tif 000023